(57)【要約】  無線通信システムにおいてＰＲＡＣＨ（physical random access channel）を送信する方法及び装置が提供される。端末（ＵＥ：user equipment）は、ＮＲ（new radio access technology）帯域のＮＲ ＤＬ／ＵＬ（downlink/uplink）搬送波に対する第１ＰＲＡＣＨ構成とＬＴＥ（long-term evolution）帯域の補助ＵＬ搬送波に対する第２ＰＲＡＣＨ構成を含む複数のＰＲＡＣＨ構成を受信し、及び前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成に基づいて第２ＰＲＡＣＨ電力を利用して前記ＬＴＥ帯域の前記補助ＵＬ搬送波に接続するための第２ＰＲＡＣＨの少なくとも１つを送信する。前記第１ＰＲＡＣＨ構成及び第２ＰＲＡＣＨ構成は異なるＰＲＡＣＨ電力の構成を含む。【選択図】図１７
2020504532.tif 000002
【特許請求の範囲】
【請求項１】
無線通信システムにおいて端末（ＵＥ：user equipment）がＰＲＡＣＨ（physical random access channel）を送信する方法であって、
ＮＲ（new radio access technology）帯域のＮＲ ＤＬ／ＵＬ（downlink/uplink）搬送波に対する第１ＰＲＡＣＨ構成とＬＴＥ（long-term evolution）帯域の補助ＵＬ搬送波に対する第２ＰＲＡＣＨ構成とを含む複数のＰＲＡＣＨ構成を受信する段階と、
前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成にお基づいて第２ＰＲＡＣＨ電力を利用して前記ＬＴＥ帯域の前記補助ＵＬ搬送波に接続するための第２ＰＲＡＣＨのうち少なくとも１つを送信する段階とを含み、
前記第１ＰＲＡＣＨ構成及び第２ＰＲＡＣＨ構成は、異なるＰＲＡＣＨ電力の構成を含むことを特徴とする、方法。
【請求項２】
前記ＵＥは、前記のＬＴＥ帯域において前記補助ＵＬ搬送波のみで構成されることを特徴とする、請求項１に記載の方法。
【請求項３】
ＵＬ ＰＣＣ（primary component carrier）は、前記第２ＰＲＡＣＨが送信される前記補助ＵＬ搬送波のセルに変更されることを特徴とする、請求項２に記載の方法。
【請求項４】
ＤＬ ＰＣＣは、前記ＮＲ ＤＬ／ＵＬ搬送波にあることを特徴とする、請求項３に記載の方法。
【請求項５】
前記補助ＵＬ搬送波は、ＬＴＥ ＵＬリソース及びＮＲ ＵＬリソースを含むことを特徴とする、請求項２に記載の方法。
【請求項６】
前記ＬＴＥ ＵＬリソース及び前記ＬＴＥ ＵＬリソースは、ＴＤＭ（time division multiplexing）又はＦＤＭ（frequency division multiplexing）により多重化されることを特徴とする、請求項５に記載の方法。
【請求項７】
ＦＤＤ（frequency division duplex）−ＴＤＤ（time division duplex）キャリアアグリゲーション（ＣＡ：carrier aggregation）に基づく基準ＨＡＲＱ（hybrid automatic repeat request）タイミングは、前記ＬＴＥ ＵＬリソースに対して構成されることを特徴とする、請求項５に記載の方法。
【請求項８】
ＰＵＣＣＨ（physical uplink control channel）を運搬するセルは、前記ＮＲ ＤＬ／ＵＬ搬送波又は前記補助ＵＬ搬送波のＵＬ ＰＣＣのうち１つで構成されることを特徴とする、請求項１に記載の方法。
【請求項９】
ＰＵＳＣＨ（physical uplink shared channel）送信は、前記ＰＵＣＣＨを運搬するセルにおいて行われることを特徴とする、請求項８に記載の方法。
【請求項１０】
ＰＵＳＣＨ送信は、前記ＮＲ ＤＬ／ＵＬ搬送波又は前記補助ＵＬ搬送波ではない他の搬送波に構成されることを特徴とする、請求項８に記載の方法。
【請求項１１】
ＤＬ追跡参照信号（ＲＳ：reference signal）を前記ＮＲ ＤＬ／ＵＬ搬送波又は前記補助ＵＬ搬送波に対応するＤＬ搬送波で受信する段階をさらに含むことを特徴とする、請求項１に記載の方法。
【請求項１２】
前記第１ＰＲＡＣＨ又は前記第２ＰＲＡＣＨのうち少なくとも１つは、最も良いビームを示すデータを運搬することを特徴とする、請求項１に記載の方法。
【請求項１３】
プリアンブルシーケンス又はＰＲＡＣＨリソースは、最も良いビームを示すように選択されることを特徴とする、請求項１に記載の方法。
【請求項１４】
無線通信システムにおける端末（ＵＥ：user equipment）であって、
メモリと、
送受信部と、
前記メモリ及び前記送受信部と動作可能に結合するプロセッサと、を含み、
前記プロセッサは、
ＮＲ（new radio access technology）帯域のＮＲ ＤＬ／ＵＬ（downlink/uplink）搬送波に対する第１ＰＲＡＣＨ構成とＬＴＥ（long-term evolution）帯域の補助ＵＬ搬送波に対する第２ＰＲＡＣＨ構成とを含む複数のＰＲＡＣＨ構成を受信するように前記送受信部を制御し、
前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成に基づいて第２ＰＲＡＣＨ電力を利用して前記ＬＴＥ帯域の前記補助ＵＬ搬送波に接続するための第２ＰＲＡＣＨのうち少なくとも１つを送信するように前記送受信部を制御し、
前記第１ＰＲＡＣＨ構成及び第２ＰＲＡＣＨ構成は、異なるＰＲＡＣＨ電力の構成を含むことを特徴とする、端末。
【発明の詳細な説明】
【技術分野】
【０００１】
本発明は、無線通信に関し、より詳細には、無線通信システムにおいて３ＧＰＰ ＬＴＥ（3rd generation partnership project long-term evolution）とＮＲ（new radio access technology）との間にスペクトルを共有するための方法及び装置に関する。
【背景技術】
【０００２】
３ＧＰＰ ＬＴＥは、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ ＬＴＥは、上位レベルの必要条件として、ビット当たり費用の節減、サービス有用性向上、周波数バンドの柔軟な使用、簡単な構造、開放型インターフェース及び端末の適切な電力消費を要求する。
【０００３】
より多くの通信機器がより大きな通信容量を要求することにより、既存の無線アクセス技術に比べて改善されたモバイル広帯域通信が必要である。また、複数の機器及び物を接続していつでもどこでも多様なサービスを提供する巨大ＭＴＣ（machine type communication）も次世代通信において考慮される主要イシューの１つである。さらに、信頼性及び遅延に敏感なサービス／端末（ＵＥ：user equipment）を考慮した通信システム設計が論議されている。このように向上したモバイル広帯域通信（ｅＭＢＢ：enhanced mobile broadband communication）、巨大ＭＴＣ、ＵＲＬＬＣ（ultra-reliable and low latency communication）などを考慮した次世代無線アクセス技術の導入が論議されており、便宜上、このような新しい技術は新しい無線アクセス技術（new radio access technology（ＲＡＴ）又はＮＲ）と呼ばれることができる。
【０００４】
ミリメートル波（ｍｍＷ）帯域では波長が短くなって同一面積に複数のアンテナが設置されることができる。例えば、３０ＧＨｚ帯域で波長は１ｃｍであり、５×５ｃｍのパネルに０．５λ（波長）間隔で２次元配列形態で計１００個のアンテナ要素が設置されることができる。従って、ｍｍＷ帯域では、複数のアンテナ要素を用いてビームフォーミング（beamforming）利得を向上させてカバレッジを増加させるか、処理量（throughput）を向上させることができる。
【０００５】
この場合、アンテナ要素別に送信パワー及び位相の調節ができるように送受信部を有すると、周波数リソース別に独立的なビームフォーミングが可能である。しかしながら、１００個余りのアンテナ要素の全てに送受信部を設置すると、コストの側面で実効性が低下する問題がある。従って、１つの送受信部に複数のアンテナ要素をマッピングし、アナログ位相シフタ（analog phase shifter）でビームの方向を調節する方式が考慮されている。このようなアナログビームフォーミング方式は、全帯域にわたって１つのビーム方向のみを作ることができるため、周波数選択的ビームフォーミングができないという欠点がある。
【０００６】
デジタルビームフォーミングとアナログビームフォーミングの中間形態として、Ｑ個のアンテナ要素より少ない数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲを効率的に運営するために多様な方法が論議された。
【発明の概要】
【発明が解決しようとする課題】
【０００８】
本発明は、無線通信システムにおいて３ＧＰＰ ＬＴＥ（3rd generation partnership project long-term evolution）とＮＲ（new radio access technology）との間にスペクトルを共有するための方法及び装置を提供する。本発明は、少なくともＮＲの初期配置のために、同一の周波数においてＬＴＥとＮＲとの間のスペクトル共有メカニズムを議論する。
【課題を解決するための手段】
【０００９】
一態様において、無線通信システムにおいて端末（ＵＥ：user equipment）がＰＲＡＣＨ（physical random access channel）を送信する方法が提供される。前記方法は、ＮＲ（new radio access technology）帯域のＮＲ ＤＬ／ＵＬ（downlink/uplink）搬送波に対する第１ＰＲＡＣＨ構成とＬＴＥ（long-term evolution）帯域の補助ＵＬ搬送波に対する第２ＰＲＡＣＨ構成を含む複数のＰＲＡＣＨ構成を受信する段階と、前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成に基づいて第２ＰＲＡＣＨ電力を利用して前記ＬＴＥ帯域の前記補助ＵＬ搬送波に接続するための第２ＰＲＡＣＨのうち少なくとも１つを送信する段階とを含む。前記第１ＰＲＡＣＨ構成及び第２ＰＲＡＣＨ構成は、異なるＰＲＡＣＨ電力の構成を含む。
【００１０】
他の態様において、無線通信システムにおける端末（ＵＥ：user equipment）が提供される。前記ＵＥは、メモリ、送受信部、及び前記メモリ及び前記送受信部と動作可能に結合されるプロセッサを含む。前記プロセッサは、ＮＲ（new radio access technology）帯域のＮＲ ＤＬ／ＵＬ（downlink/uplink）搬送波に対する第１ＰＲＡＣＨ構成とＬＴＥ（long-term evolution）帯域の補助ＵＬ搬送波に対する第２ＰＲＡＣＨ構成を含む複数のＰＲＡＣＨ構成を受信するように前記送受信部を制御し、前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成に基づいて第２ＰＲＡＣＨ電力を利用して前記ＬＴＥ帯域の前記補助ＵＬ搬送波に接続するための第２ＰＲＡＣＨのうち少なくとも１つを送信するように前記送受信部を制御する。前記第１ＰＲＡＣＨ構成及び第２ＰＲＡＣＨ構成は、異なるＰＲＡＣＨ電力の構成を含む。
【発明の効果】
【００１１】
３ＧＰＰ ＬＴＥ及びＮＲは、同一の周波数のスペクトルを効率的に共有することができる。
【図面の簡単な説明】
【００１２】
【図１】図１は、３ＧＰＰ（3rd generation partnership project）ＬＴＥ（long-term evolution）システムを示す。
【図２】図２は、３ＧＰＰ  ＬＴＥの無線フレームの構造を示す。
【図３】図３は、１つのダウンリンクスロットに対するリソースグリッド（resource grid）を示す。
【図４】図４は、ＮＲに対するサブフレームタイプの例を示す。
【図５】図５は、システムの帯域幅においてＬＴＥ／ＮＲ周波数の一部を変更する例を示す。
【図６】図６は、本発明の実施形態による初期アクセス（initial access）の手順の例を示す。
【図７】図７は、本発明の実施形態による同一の周波数における異なるＲＡＴの共存の例を示す。
【図８】図８は、タイミングアドバンスイシューの例を示す。
【図９】図９は、マイクロとマクロの間のタイミング誤整列（misalignment）の例を示す。
【図１０】図１０は、本発明の実施形態によってＰＲＡＣＨが最も良いビーム情報を伝達しない場合の例を示す。
【図１１】図１１は、本発明の一実施形態によるＳＵＬに対するシナリオの例を示す。
【図１２】図１２は、本発明の一実施形態によるＰＤＳＣＨ−ＨＡＲＱ−ＡＣＫ及び／又はＰＤＣＣＨ−ＰＵＳＣＨのタイミングの例を示す。
【図１３】図１３は、本発明の一実施形態によるＮＲ搬送波でのＳＳブロック送信の例を示す。
【図１４】図１４は、本発明の一実施形態によるＮＲ搬送波でのＳＳブロック送信の他の例を示す。
【図１５】図１５は、ＤＬヌメロロジーに基づいたスロットタイプ形成の例を示す。
【図１６】図１６は、ＤＬ及びＵＬヌメロロジーに基づいたスロットタイプ形成の例を示す。
【図１７】図１７は、本発明の実施形態によってＵＥによりＰＲＡＣＨを送信する方法を示す。
【図１８】図１８は、本発明の一実施例を具現化するための無線通信システムを示す。
【発明を実施するための形態】
【００１３】
図１は、３ＧＰＰ（3rd generation partnership project）ＬＴＥ（long-term evolution）システムを示す。３ＧＰＰ ＬＴＥシステム１０は、少なくとも１つのｅＮＢ（evolved NodeB）１１を含む。各ｅＮＢ１１は、固有の地理的領域（一般に、セルという）１５ａ、１５ｂ、１５ｃに対して通信サービスを提供する。各セルは、複数の領域（セクターという）にさらに分けられる。端末（ＵＥ：user equipment）１２は、固定されるか、移動性を有し、ＭＳ（mobile station）、ＭＴ（mobile terminal）、ＵＴ（user terminal）、ＳＳ（subscriber station）、無線機器（wireless device）、ＰＤＡ（personal digital assistant）、無線モデム（wireless modem）、携帯機器（handheld device）などの他の用語で呼ばれることができる。ｅＮＢ１１は、一般的にＵＥ１２と通信する固定地点をいい、ＢＳ（base station）、ＢＴＳ（base transceiver system）、アクセスポイント（access point）などの他の用語で呼ばれることができる。
【００１４】
ＵＥは、通常１つのセルに属するが、ＵＥが属したセルをサービングセル（serving cell）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（neighbor cell）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ１１からＵＥ１２への通信を意味し、ＵＬは、ＵＥ１２からｅＮＢ１１への通信を意味する。ＤＬにおいて送信機は、ｅＮＢ１１の一部であり、受信機は、ＵＥ１２の一部でありうる。ＵＬにおいて送信機は、ＵＥ１２の一部であり、受信機は、ｅＮＢ１１の一部でありうる。
【００１６】
無線通信システムは、ＭＩＭＯ（multiple-input multiple-output）システム、ＭＩＳＯ（multiple-input single-output）システム、ＳＩＳＯ（single-input single-output）システム、及びＳＩＭＯ（single-input multiple-output）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２を参照すると、無線フレームは、１０個のサブフレームを含む。サブフレームは、時間領域で２個のスロットを含む。上位層により１つのトランスポートブロックを物理層に送信する時間は、（一般的に１つのサブフレームにわたって）ＴＴＩ（transmission time interval）と定義される。例えば、１つのサブフレームは、１ｍｓの長さを有することができ、１つのスロットは、０．５ｍｓの長さを有することができる。１つのスロットは、時間領域で複数のＯＦＤＭ（orthogonal frequency division multiplexing）シンボルを含む。３ＧＰＰ  ＬＴＥは、ＤＬでＯＦＤＭＡを使用するため、ＯＦＤＭシンボルは、１つのシンボル周期を表現するためのものである。ＯＦＤＭシンボルは、多重アクセス方式によって他の名称でも呼ばれる。例えば、ＳＣ−ＦＤＭＡがＵＬ多重アクセス方式として用いられる場合、ＯＦＤＭシンボルは、ＳＣ−ＦＤＭＡシンボルとも呼ばれる。リソースブロック（ＲＢ：resource block）は、リソース割当単位であり、１つのスロットに複数の連続された（contiguous）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１８】
無線通信システムは，ＦＤＤ（frequency division duplex）方式とＴＤＤ（time division duplex）方式に区分されることができる。ＦＤＤ方式によると、アップリンク送信とダウンリンク送信は、互いに異なる周波数帯域で行われる。ＴＤＤ方式によると、ＵＬ送信とＤＬ送信は、同じ周波数帯域で互いに異なる時間間隔で行われる。ＴＤＤ方式のチャネル応答は、実質的に相互に逆（reciprocal）である。これは与えられた周波数帯域でＤＬチャネル応答及びＵＬチャネル応答がほとんど同じであることを意味する。したがって、ＴＤＤベースの無線通信システムは、ＵＬチャネル応答からＤＬチャネル応答を得ることができるという長所がある。ＴＤＤ方式は、全周波数帯域がＵＬ及びＤＬ送信のために時分割されるため、ｅＮＢによるＤＬ送信とＵＥによるＵＬ送信を同時に実行することができない。ＵＬ送信とＤＬ送信がサブフレーム単位で区別されるＴＤＤシステムで、ＵＬ送信とＤＬ送信は、異なるサブフレームで実行される。ＴＤＤシステムにおいて、ＤＬとＵＬとの間の高速スイッチングを可能にするために、ＴＤＭ（time division multiplexing）／ＦＤＭ（frequency division multiplexing）方式で同じサブフレーム／スロット内でＵＬ及びＤＬ送信が実行されることができる。
【００１９】
図３は、１つのダウンリンクスロットに対するリソースグリッド（resource grid）を示す。図３を参照すると、ＤＬスロットは、時間領域で複数のＯＦＤＭシンボルを含む。ここで、例示として、１つのＤＬスロットは、７個のＯＦＤＭシンボルを含み、１つのＲＢは、周波数領域で１２個の副搬送波を含むと述べられる。しかし、本発明は、これに限定されるものではない。リソースグリッドの各要素は、リソース要素（ＲＥ：resource element）という。１つのＲＢは、１２×７または１２×１４リソース要素を含む。ＤＬスロットに含まれるＲＢの数ＮＤＬは、ＤＬ送信帯域幅によって決まる。ＵＬスロットの構造は、ＤＬスロットの構造と同じである。ＯＦＤＭシンボルの数と副搬送波の数は、ＣＰの長さ、周波数間隔などによって変わることができる。例えば、一般ＣＰ（normal cyclic prefix）の場合、ＯＦＤＭシンボルの個数は７個または１４個であり、拡張ＣＰの場合、ＯＦＤＭシンボルの個数は６個または１２個である。１つのＯＦＤＭシンボルで、１２８、２５６、５１２、１０２４、１５３６、２０４８、４０９６及び８１９２のうち１つを副搬送波の個数として選択的に使用することができる。
【００２０】
第５世代移動通信網又は第５世代移動通信システム（５Ｇ）は、現在の４Ｇ  ＬＴＥ／ＩＭＴ（international mobile telecommunications）標準以後に提案された次世代通信標準である。５Ｇは、新しい無線アクセス技術（new radio access technology（ＲＡＴ）又はＮＲ）とＬＴＥ進化（evolution）を全て含む。以下、５ＧのうちＮＲに焦点を合わせて説明する。５Ｇプランニングは、現在の４Ｇ  ＬＴＥより高い容量を目標とし、モバイル広帯域ユーザの密度を向上させ、機器対機器、高信頼（ultra-reliable）及び大規模マシン通信（massive machine communications）をサポートする。また、５Ｇ研究開発は、モノのインターネットをより良く実装するために、４Ｇ装置より短い遅延と低いバッテリ消費を目標とする。
【００２１】
ＮＲは、ＯＦＤＭ送信方式又はそれに類似する送信方式を用いることができる。ＮＲは、既存のＬＴＥ／ＬＴＥ−Ａヌメロロジーに従うか、既存のＬＴＥ／ＬＴＥ−Ａヌメロロジーとは異なるヌメロロジーに従うことができる。ＮＲは、より大きなシステム帯域幅（例えば、１００ＭＨｚ）を有する。または、１つのセルがＮＲにおいて様々なヌメロロジーをサポートすることもできる。すなわち、異なるヌメロロジーにおいて動作するＵＥがＮＲ内の１つのセル内に共存することができる。
【００２２】
ＮＲに対して他のフレーム構造が必要であると期待される。特に、ＵＬ及びＤＬがサブフレーム毎に存在できるか、又は同一の搬送波内で非常に頻繁に変更できる異なるフレーム構造がＮＲに必要であり得る。異なるアプリケーションは、異なる遅延及びカバレッジ要求事項をサポートするために、ＤＬ又はＵＬ部分（portion）の異なる最小サイズを必要とすることがある。例えば、高いカバレッジの場合、大規模マシンタイプ通信（ｍＭＴＣ：massive machine-type communication）は、１つの送信（transmission）の送信に成功できるように比較的に長いＤＬ及びＵＬ部分を必要とすることがある。また、同期化及び追跡正確度の要求事項に関する異なる要求事項により、異なる副搬送波間隔及び／又は異なるＣＰの長さが考慮されることがある。このような観点で、同一の搬送波に共存する異なるフレーム構造を可能にし、同一のセル／ｅＮＢで動作できるメカニズムを考慮することが必要である。
【００２３】
ＮＲにおいて、ダウンリンク及びアップリンクが含まれるサブフレームを用いることが考慮される。この方式は、ペアード（paired）スペクトル及びアンペアード（ｕｎｐａｉｒｅｄ）スペクトルに適用されることができる。ペアードスペクトルは、１つの搬送波が２つの搬送波から構成されることを意味する。例えば、ペアードスペクトルにおいて、１つの搬送波はＤＬ搬送波及びＵＬ搬送波を含むことができ、これは相互にペアリングされる。ペアードスペクトルにおいて、ＤＬ、ＵＬ、機器対機器通信及び／又は中継通信などの通信は、ペアードスペクトルを用いて行われる。アンペアードスペクトルは、現在の４Ｇ  ＬＴＥのように１つの搬送波がただ１つの搬送波から構成されることを意味する。アンペアードスペクトルにおいて、ＤＬ、ＵＬ、機器対機器通信及び／又は中継通信などの通信は、アンペアードスペクトル内で行われることができる。
【００２４】
また、ＮＲにおいて、以下のサブフレームタイプは、前述したペアードスペクトル及びアンペアードスペクトルをサポートすると見なされる。
【００２５】
（１）ＤＬ制御及びＤＬデータを含むサブフレーム
【００２６】
（２）ＤＬ制御、ＤＬデータ、及びＵＬ制御を含むサブフレーム
【００２７】
（３）ＤＬ制御及びＵＬデータを含むサブフレーム
【００２８】
（４）ＤＬ制御、ＵＬデータ、及びＵＬ制御を含むサブフレーム
【００２９】
（５）アクセス信号又はランダムアクセス信号又は他の目的を含むサブフレーム
【００３０】
（６）ＤＬ／ＵＬ及び全てのＵＬ信号を全て含むサブフレーム
【００３１】
しかしながら、前述したサブフレームタイプは、単に例示的なものであり、他のサブフレームタイプも考慮されることができる。
【００３２】
図４は、ＮＲに対するサブフレームタイプの例を示す。図４に示すサブフレームは、データ送信の遅延を最小化するためにＮＲのＴＤＤシステムにおいて用いられる。図４を参照すると、サブフレームは、現在のサブフレームと類似するように、１つのＴＴＩで１４個のシンボルを含む。しかしながら、サブフレームは、最初のシンボルにＤＬ制御チャネル及び最後のシンボルにＵＬ制御チャネルを含む。ＤＬ制御チャネルのための領域は、ＤＣＩ（downlink control information）送信のためのＰＤＣＣＨ（physical downlink control channel）の送信領域を示し、ＵＬ制御チャネルのための領域は、ＵＣＩ（uplink control information）送信のためのＰＵＣＣＨ（physical uplink control channel）の送信領域を示す。ここで、ＤＣＩを介してｅＮＢによりＵＥに送信される制御情報は、ＵＥが知っているべきセル構成に関する情報、ＤＬスケジューリングなどのＤＬ固有情報及びＵＬ承認などのＵＬ固有情報を含むことができる。また、ＵＣＩを介してＵＥによりｅＮＢに送信される制御情報は、ＤＬデータに対するＨＡＲＱ（hybrid automatic repeat request）ＡＣＫ／ＮＡＣＫ（acknowledgement/non-Acknowledgement）報告、ＤＬチャネル状態に関するチャネル状態情報（ＣＳＩ：channel state information）及びスケジューリング要求（ＳＲ：scheduling request）を含む。残りのシンボルは、ＤＬデータ送信（例えば、ＰＤＳＣＨ(physical downlink shared channel)）又はＵＬデータ送信（例えば、ＰＵＳＣＨ(physical uplink shared channel)）のために用いられる。
【００３３】
このサブフレーム構造によると、ＤＬ送信とＵＬ送信は、１つのサブフレームにおいて順次行われる、サブフレーム内でＤＬデータが送信されることができ、サブフレーム内でＵＬ  ＡＣＫ／ＮＡＣＫが受信されることもできる。このような方式で、図４に示すサブフレームは、自己完結型サブフレーム（self-contained subframe）といえる。その結果、データ送信エラーが発生するときにデータの再送信にかかる時間が短くなるので、最終データ送信の遅延が最小になる。自己完結型サブフレーム構造において、送信モードから受信モードへ又は受信モードから送信モードへの移行過程（transition process）に時間ギャップ（time gap）が必要になり得る。このために、サブフレーム構造において、ＤＬからＵＬに転換するときの一部ＯＦＤＭシンボルをガード期間（ＧＰ：guard period）に設定することができる。
【００３４】
以下で、３ＧＰＰ ＬＴＥとＮＲとの間のスペクトル共有に対する多様な様相が本発明の実施形態によって説明される。４Ｇから５Ｇ（又は、ＮＲから３ＧＰＰ ＬＴＥ）に変更する間、ＬＴＥのみをサポートするＵＥ及び両方のＲＡＴをサポートするＵＥが共存することができる。このような場合、向上したＵＥの比率に応じて、同一の周波数帯域においてＮＲ周波数／時間の使用又はＬＴＥ周波数／時間の使用の部分を動的に変更することが有利である。ネットワークがＬＴＥ周波数の使用部分を減らすために、ＬＴＥにおいてネットワークがＳＣｅｌｌ（secondary cell）−オフを行うことができる。ＬＴＥ ｅＮＢ及びＮＲ ｇＮＢは、共通配置（collocate）されるか、非共通配置（non-collocate）されることができる。本発明は、ＬＴＥとＮＲセルとの間の非理想的なバックホール条件を含む異なる配置シナリオに適用できる。
【００３５】
図５は、システムの帯域幅においてＬＴＥ／ＮＲ周波数の一部を変更する例を示す。ケース１において、両方のＲＡＴをサポートするＵＥよりＬＴＥのみをサポートするＵＥがより多い。従って、全システム帯域幅においてＬＴＥ周波数使用部分が増加する可能性がある。ケース２において、ＬＴＥのみをサポートするＵＥより両方のＲＡＴをサポートするＵＥがより多い。従って、全システム帯域幅においてＮＲ周波数使用部分が増加する可能性がある。
【００３６】
この動作をサポートするために、ＬＴＥの観点から以下のようなアプローチを考慮することができる。
【００３７】
−ＬＴＥ ＵＥは、柔軟な帯域幅をサポートしないこともある。従って、ＬＴＥ搬送波において全てのＵＥを分離（de-attach）し、ＭＩＢ（master information block）／ＳＩＢ（system information block）をアップデートしてシステムの帯域幅を変更することが必要である。しかしながら、これは、ＭＩＢ／ＳＩＢ情報変更による若干の再構成遅延を招く可能性があり、従って、２つのＲＡＴ間に動的再構成又は柔軟なスペクトル共有を提供しない場合がある。
【００３８】
代わりに、システム帯域幅に関するシステム情報アップデートに依存することに代えて、ＬＴＥスペクトルのインター周波数キャリアアグリゲーション（ＣＡ：carrier aggregation）が使用されることがある。例えば、総システム帯域幅がＭ ＭＨｚである場合、Ｋ＊Ｍ／Ｋ ＭＨｚ周波数チャンクに分割されることができ、ＵＥはイントラＣＡ能力によりＭ ＭＨｚと関連付けられることができる。この場合、１つ又は複数の周波数チャンクを非活性化するために、ネットワークは単純にＳＣｅｌｌを非活性化し、ＳＣｅｌｌ−ｏｆｆを行うことができる。発見信号を送信するために、ＮＲは干渉を最小化するために発見信号により使用される一部のリソースを使用することができない。発見信号送信のための一部のリソースを確保する観点から、発見信号は送信されたＮＲ信号をパンクチャリングすることができる。例えば、１５ｋＨｚ副搬送波間隔に基づいた信号はＮＲにおいて使用されることができ、レガシー発見信号に使用されるリソースは、送信されたＮＲ信号をパンクチャリングすることができる。発見信号によりＮＲ信号の性能が低下する可能性がある。例えば、制御信号及びデータ信号がかえって劣化することがある。このような処理は、スケジューリングによる適切なコード率適応及びリソース割り当てにより行われることができる。
【００３９】
−ＬＴＥ ＵＥは、柔軟な帯域幅をサポートすることができる。この場合、ＬＴＥセルは最小帯域幅をできるだけ小さく構成することができ、ＬＴＥ ＵＥに柔軟な帯域幅の動作を許容することができる。ＬＴＥ ＵＥは、帯域幅のサイズを動的に適応させることができる。ＮＲセルはまた、ＬＴＥ／ＮＲ ＵＥの個体数（populations）によって動的に帯域幅のサイズを適応させることができる。
【００４０】
−また、ＬＴＥ ＵＥはＮＲをサポートすることができ、ＬＴＥ及びＮＲはＬＴＥ ＵＥの観点から柔軟に相互に交換されることができる。ＮＲ効率が一般的にＬＴＥ効率より優れていると仮定する場合、ＵＥがＬＴＥ及びＮＲを両方ともサポートすると、カバレッジの差がない限りＮＲで動作することがより好ましい。このような意味で、全てのＵＥがＮＲをサポートすると、共有の問題はそれほど重要でなくなり、ここでＬＴＥ部分／ＳＣｅｌｌが非活性化される。ＮＲは自分のシステム帯域幅を柔軟に適応させて全システム帯域幅をカバーすることができる。
【００４１】
ＮＲをサポートするＵＥ（以下、ＮＲ ＵＥ）の観点から、次の２つの可能性が考慮されることができる。
【００４２】
−ＮＲ ＵＥは、ＵＥが主にＮＲと関連付けられた周波数帯域又は同一の周波数においてＬＴＥをサポートすることができる。これはまた、ＵＥが１つの周波数帯域においてＮＲ及びＬＴＥを同時にサポートできる場合（例えば、イントラ帯域ＣＡ又はデュアルコネクティビティ（ＤＣ：dual connectivity、二重接続））を含むことができる。
【００４３】
−ＮＲ ＵＥは、ＬＴＥをサポートしない可能性もある。これは、ＮＲ ＵＥが異なる周波数帯域においてＬＴＥをサポートすることができるが、ＮＲが動作できる同一の周波数においてＬＴＥをサポートしないことを意味する。または、ＮＲ ＵＥはＬＴＥをサポートしない可能性がある。または、ＮＲ ＵＥは、１つの周波数帯域においてＮＲ又はＬＴＥをサポートすることができる。
【００４４】
前述したアプローチに基づいて以下のような事項を考慮することができる。
【００４５】
（１）ＮＲ ＵＥシステム帯域幅シグナリング
【００４６】
ＮＲのシステム帯域幅は、ＬＴＥスペクトルの使用又は他の使用（例えば、許可された共有アクセスの場合、より多くのスペクトルを取得するか又は非許可スペクトルの非許可スペクトル−動的割り当ての活用）によって変わる。従って、セルがサポートしようとする最小及び最大のシステム帯域幅をシグナリングする必要がある。また、同期信号の中心周波数又は一般的に中心周波数として使用される所定の信号は、最大システム帯域幅の中心に位置しないことがある。このような意味で、最小システム帯域幅及び最大システム帯域幅の中心周波数を示すことが好ましいかも知れない。または、最小システム帯域幅の中心周波数とＰＳＳ（primary synchronization signal）のような基準信号の中心周波数との間のオフセット又は基準信号と最大システム帯域幅の中心周波数との間のオフセットが示されることができる。このような情報は、同期信号及び／又はＭＩＢ及び／又はＳＩＢにより伝達されることができる。範囲がわかる場合、ＵＥは、潜在的に電力消費を減らすか又は他の目的のために受信帯域幅（ＲＦ（radio frequency）及び基底帯域の両方とも）を調整することができる。しかしながら、基準信号の中心周波数を仮定するか、又は、ＵＥが最大システム帯域幅の中心周波数にリチューンできると仮定すると、最大システム帯域幅の開始と終了は、ＵＥのＲＦ帯域幅を超過しないことが好ましいかもしれない。また、ＤＣ（direct current）副搬送波が変更されないことが好ましいかもしれない。従って、ＤＣ副搬送波は、最小システム帯域幅又は基準信号の中心に位置することができる。
【００４７】
最小システム帯域幅（ｍｉｎ＿ＳＢＷ）と最大システム帯域幅（ｍａｘ＿ＳＢＷ）との間で、同期信号、ＰＢＣＨ（physical broadcast channel）及び可能であればＳＩＢなどの任意のセル共通信号がｍｉｎ＿ＳＢＷ内で送信されることができる。ＣｏＭＰ（coordinate multi-point）送信、ＭＢＭＳ（multimedia broadcast multicast services）などのマルチセル動作がｍｉｎ＿ＳＢＷ上で行われることがある。または、各動作に適用されるシステム帯域幅は、隣のセルの配置シナリオによって個別に構成される。ｍｉｎ＿ＳＢＷを超過してサポートされる場合、帯域幅を変更するには動的シグナリングが必要となることもある。半静的にｍｉｎ＿ＳＢＷが変更されると、ｍｉｎ＿ＳＢＷがｍａｘ＿ＳＢＷと同じであり得る。
【００４８】
ｍａｘ＿ＳＢＷのシグナリングはＵＥ固有又はグループ固有であり得る。例えば、特定の周波数は位置及び／又はチャネルの状態及び／又はＵＥ性能に応じてＵＥのグループにのみ利用できる場合もある。また、帯域幅は、異なるＲＲＣ（radio resource control）接続毎に、又は、例えば、応用プログラム又は使用例によって物理層から区別できる接続毎に、異なる構成になることもある。例えば、ＵＲＬＬＣ（ultra-reliable and low latency communication）又はｅＶ２Ｘ（enhanced vehicle-to-everything）使用例の場合、ｅＭＢＢ（enhanced mobile broadband）使用例より帯域幅が小さいか大きい。異なる接続によって、ＵＥ基底帯域は使用例毎に又は接続毎に異なる場合があるので、帯域幅は異なる構成となり得る。次のような特性を有する接続が複数あり得る。
【００４９】
−複数の接続に関係なく、同期化が一回行われることができる。接続の追加同期が必要である場合、再度行われる必要があり得る。
【００５０】
−それぞれの接続毎に異なるＲＲＣパラメータ／Ｕ−Ｐｌａｎｅ ｂｅａｒｅｒなどが構成されることができる。
【００５１】
個々の接続は、異なるブランクリソース及び／又は異なるシステム帯域幅及び／又は異なるヌメロロジー及び／又は異なるＴＴＩの長さを有する。これは他の場合にも適用できる。
【００５２】
（２）ＬＴＥ及びＮＲを両方ともサポートする１つのＵＥ（すなわち、ＦＤＭ又はＴＤＭ）
【００５３】
もし、ＮＲ ＵＥがＬＴＥのセル固有信号周辺のレートマッチングをサポートする場合、ヌメロロジーが互換可能であると、ＬＴＥに割り当てられたスペクトルがＮＲ ＵＥに対して動的に使用できる。例えば、ＬＴＥセルがレガシーＬＴＥ ＰＤＣＣＨ及び／又はＬＴＥ ＣＲＳ（cell-specific reference signal）を送信できる周波数範囲でＮＲ ＵＥがシグナリングされることができ、以後、データ及び／又は制御がＬＴＥと重畳された部分を介してスケジュールされると、ＮＲ ＵＥはレートマッチングを行うことができる。ＰＤＣＣＨの長さ、ＣＲＳアンテナポート番号、セルＩＤ（identifier）及び／又はｖｓｈｉｆｔ値のような必要な情報もシグナリングされることができる。ＮＲ ＲＳとＬＴＥ ＲＳが同一のＲＥ位置で衝突すると、ＵＥはＮＲのためにシグナリングされたリソースにおいてＬＴＥ ＲＳが送信されない可能性があると仮定できる。ＵＥが２つのＲＡＴを両方ともサポートする場合にも、前記（１）で言及されたアプローチが依然として適用されることができる。（１）と（２）の主な相異点はレートマッチング又はデータ受信のためにレガシー信号の周知の情報を利用することである。
【００５４】
ＵＥは、ＬＴＥ信号を理解する観点から異なる能力を有することができるので、異なるレートマッチングパターン又は動作がＮＲとＬＴＥとの間の動的リソース共有の観点から異なるＵＥに割り当てられることがある。例えば、ＵＥがＬＴＥ信号解釈をサポートすると、ネットワークはＲＥレベルでＣＲＳ周囲のレートマッチングを構成することができるが、ＵＥがＬＴＥをサポートしないと、ネットワークはＣＲＳシンボル周囲のレートマッチングを構成することができる。
【００５５】
本発明の実施形態による初期セル探索について説明する。
【００５６】
ＮＲとＬＴＥが共存できる周波数スペクトルにおいて、ＵＥはＬＴＥ及びＮＲの両方のセル探索アルゴリズムを行うことができる。同一の周波数においてＬＴＥ及びＮＲ同期信号がある可能性があるため、ＵＥはＬＴＥ又はＮＲのいずれか１つに対して初期アクセスを開始しようと試みることができる。ＵＥがＬＴＥ又はＮＲのいずれか１つに関連付けられる場合、能力がシグナリングされた後、ＵＥは再構成されるか、あるいはＮＲ又はＬＴＥ（即ち、異なるＲＡＴ）にハンドオーバされることがある。このために、ＰＲＡＣＨ（physical random access channel）リソース構成は、ＮＲ ＵＥに対しても使用できるＰＲＡＣＨリソースをシグナリングすることができる。言い換えると、ＮＲ及びＬＴＥを両方ともサポートするＵＥに対して使用できる１つ以上のＰＲＡＣＨリソースがシグナリングされることができる。このようなリソースが使用される場合、ネットワークは次のようにＮＲ及びＬＴＥをサポートするＵＥに対してＮＲ動作を行うことができる。
【００５７】
（１）ネットワークがＲＡＲ（random access response）を送信すると、ネットワークはＮＲの周波数をシグナリングしてＵＥをＮＲにハンドオーバすることができる。ネットワークはＬＴＥの周波数もシグナリングすることができる。または、Ｍｓｇ４のＲＲＣ信号で構成されてもよい。情報は、周波数、帯域幅及び／又はＲＡＴタイプを含むことができる。
【００５８】
（２）ＲＡＲの送信から、ネットワークはＮＲフォーマットに基づいて全てのＲＳ／データをシグナリング又は送信することができる。ＵＥの観点から、全てのＬＴＥセルに共通の（又は、後方互換性のある）信号は、レートマッチングされるかパンクチャリングされることができる。セル共通信号は、ＵＥ固有信号又はセル固有信号又はグループ固有信号を介して通知される。このような意味で、ネットワークは、同一のスペクトルにおいてＬＴＥ及びＮＲを形成することができ、ＬＴＥ ＵＥ及びＮＲ ＵＥは、ＦＤＭ／ＴＤＭ／ＣＤＭ（code division multiplexing）／空間多重化などの異なる方式で多重化されることができる。
【００５９】
図６は、本発明の実施形態による初期アクセスの手順の例を示す。全般的に、セル関連付け（cell association）手順は以下の通りである。
【００６０】
（１）セル探索：次の２つのケースが考慮される。
【００６１】
−ＰＳＳ／ＳＳなどのセル探索信号は、ＬＴＥ及びＮＲに共通的であり得る。セルが両方のＲＡＴをサポートする場合、共通セル探索信号が送信されることができる。この場合、セルは、レガシーＰＢＣＨ及び／又はレガシーＳＩＢを送信してレガシーＬＴＥ ＵＥがＬＴＥセルに接続できるようにする。レガシーＰＢＣＨ及び／又はレガシーＳＩＢは、ネットワークにレガシーＵＥが存在しないと予想されると、選択的にネットワークにより送信されない可能性がある。また、ＬＴＥセルがＬＴＥレガシーＵＥの観点からＳＣｅｌｌのみのために用いられる場合、レガシーＰＢＣＨ及び／又はレガシーＳＩＢが存在するか又は存在しない場合がある。ＮＲとＬＴＥを区別するために同一の論理が用いられても、他のルートインデックスが使用されることができる。ＮＲにおいて、少なくともデータ送信にＤＣトーンが使用されないことがある。少なくとも初期信号検出（例えば、ＰＳＳ）に対してＮＲとＬＴＥ間に同一の論理を可能とするために、ＵＥ受信機の中心においてＤＣトーン（ＮＵＬＬトーン）が仮定される。
【００６２】
−セル探索信号は独立的であり、ＬＴＥ及びＮＲにおいて異なる場合がある。ＵＥは、各ＲＡＴの同期信号を検出するために異なる受信機アルゴリズム又は仮定（例えば、ＮＲとＬＴＥの間の異なるルートインデックス）を有することができる。この場合、ＵＥは、ＬＴＥ又はＮＲのいずれか１つが先に探索される各周波数において優先順位リストで構成されることができる。周波数又は帯域又は周波数領域ごとに優先順位のＲＡＴが構成されることができる。
【００６３】
（２）ＰＢＣＨ判読：同一のセル探索信号が使用される場合、同一のＰＢＣＨ送信も使用されることができる。この場合、予約ビットを用いるか、ＰＢＣＨエントリを再シャッフリング（reshuffling）することにより、レガシーＰＢＣＨはＲＡＴタイプを含むことができる。代わりに、同一のセル探索信号を使用しても、異なるリソースを利用する異なるＰＢＣＨが送信されることがある。１つの追加的な同期信号がＮＲに対して存在することができ、ＵＥはＮＲ関連ＰＢＣＨ及び関連付けられたＳＩ送信の判読を試みることができる。付加的な信号の例は、同期信号及び／又はビーム方向の位置のために使用できるビームインジケータ又は拡張された同期信号であり得る。異なるセル探索信号が使用されると、異なるＰＢＣＨが仮定されることができ、セル探索信号に続いて、ＵＥは対応するＰＢＣＨ（ＮＲ及びＬＴＥに対するＮＲ−ＰＢＣＨ及びＰＢＣＨ）を判読することができる。
【００６４】
（３）ＳＩＢ判読：ＰＢＣＨに基づいて、ＮＲ−ＳＩＢ又はＳＩＢが判読されることができる。ＮＲ−ＳＩＢにおいて、ネットワークがＵＥをＬＴＥ搬送波に迂回（detour）することを希望する場合、ネットワークはＬＴＥ中心周波数をシグナリングすることができる。以後、ＵＥは、ＬＴＥの中心周波数にスイッチングしてＬＴＥのセル関連付けを開始することができる。ＵＥがＬＴＥをサポートしない場合、ＵＥは、フィールドを無視してＮＲセル関連付けを進めることができる。
【００６５】
ＳＩＢにおいて、異なるＰＲＡＣＨ構成が与えられることがある。ＮＲにおいて、ＬＴＥ用のＰＲＡＣＨリソースを構成することができる。ＵＥがＬＴＥ ＰＲＡＣＨリソースを選択すると、対応するセル関連付けはＬＴＥ手順に基づいて行われることができる。この場合、ＵＥが放送されたＰＢＣＨ／ＳＩＢ送信を判読する必要がある代わりに、ＬＴＥ用のＰＢＣＨ／ＳＩＢがＵＥ固有にシグナリングされることができる。言い換えると、セルが２つのＲＡＴを両方ともサポートしても、セルはＰＢＣＨ／ＳＩＢのためにＬＴＥ又はＮＲ関連共通信号を放送することができる。異なるＲＡＴからＵＥをスイッチングする観点から、これらの情報はＵＥ固有シグナリングにより与えられることができる。
【００６６】
ＲＡＣＨ手順の観点から、ＲＡＣＨ手順によるオフローディングが考慮されることができる。ネットワークがＮＲ−ＰＲＡＣＨを受信し、複数のＮＲ ＵＥがある場合、ネットワークはＬＴＥサポートＵＥがＬＴＥに迂回するように拒否信号を送信することができる。拒否信号は、各ＲＡＣＨをサポートするＵＥが各ＲＡＴのローディング条件に基づいて１つのＰＲＡＣＨリソースを選択できるように各ＰＡＣＨリソースにおいてオーバーローディング指示を伝達することができる。すなわち、各ＰＲＡＣＨのリソースは、両方のＲＡＴをサポートするＵＥがＲＡＴ及びＰＲＡＣＨリソースのより良い選択のためにこれらの情報を利用できるようにＲＡＴ指示及びオーバーローディング指示の選択的フィールドを含むことができる。ネットワークが各ＲＡＴの周波数部分を動的に変更できるが、異なるＲＡＴ間のバランスを合わせるための動的ローディング（dynamic loading）が用いられる可能性もある。この情報は、また、ハンドオーバ動作のために使用されるか、ＵＥのＲＡＴ動作を変更できるＰＤＣＣＨオーダー又はＰＲＡＣＨトリガーで指示されることがある。ＵＥが動作ＲＡＴタイプとは異なるＲＡＴタイプを有するＰＡＣＨトリガーで構成されると、ＵＥは必要なハンドオーバ手順を行うことができる。また、ＵＥが複数の接続で構成される場合、ＰＲＡＣＨトリガーが全ての接続に又は接続のサブセットに部分的に適用されることができる。これは接続の全部又は一部が他のＲＡＴタイプ又はセルに転換できることを意味する。また、ＵＥは自分のアプリケーション特性又は要求に基づいて異なるＲＡＴを選択することができる。
【００６７】
（４）ＲＡＣＨ手順：ＰＲＡＣＨリソース選択に基づいて、異なるＲＡＲ及びＲＡＣＨ手順が予想されることができる。ＮＲにおいて、ＬＴＥ用の追加ＰＲＡＣＨリソースが構成されることができ、以降、ＮＲ−Ｍｓｇ３又はレガシーＭｓｇ３のうち１つで回答される。ＵＥがレガシー信号から開始すると、ＵＥはレガシーＲＡＣＨの手順で開始されることができ、これはＭｓｇ４が受信される場合又はＲＡＲを介して迂回されることができる。
【００６８】
（５）ＲＲＣ構成：各ＲＡＴタイプに基づいて、適切なリソース構成が与えられることができる。
【００６９】
他のアプローチは、検索された同期信号及び／又はＰＢＣＨ信号によってＵＥがＮＲ又はＬＴＥ手順を介してセルと関連付けられることである。ＵＥがいずれかのＲＡＴタイプと接続されると、セルは他のＲＡＴの追加リソースを指示することができる。ＵＥの観点から、これは単一搬送波であり、他のＲＡＴは同一の搬送波に共存する。
【００７０】
図７は、本発明の実施形態によって同一の周波数における異なるＲＡＴの共存の例を示す。図７の（ａ）はタイプ０のケースであり、図７の（ｂ）はタイプ１のケースである。
【００７１】
（１）タイプ０：ＬＴＥの中心がＮＲの中心と整列されず、ＮＲが中心周波数ＤＣを使用する場合、これはＬＴＥ用に使用される可能性がある。しかしながら、ＮＲは中心信号と同期信号の整列を避けるためにＤＣを活用しないことと予想される。この場合、ＬＴＥは中心周波数ＤＣを使用しなければならないので、ＤＣが適切に考慮されなければならない。１つのアプローチは、ＮＲの隣接したＰＲＢにＤＣを吸収することであり、従って、隣接したＰＲＢはＮ個の搬送波の代わりにＮ−１個の副搬送波で構成される。ＵＥがＬＴＥの搬送波と関連付けられると、追加のＮＲ ＰＲＢは、中心周波数、システム帯域幅、ブランクリソースなどで構成されることができる。ＮＲのみをサポートするＵＥのために、ＮＲとＬＴＥとの間でＰＲＢを整列するために、ＮＲ搬送波にＤＣを有するように構成できるだけでなく、これはＲＢ構成を考慮していないＤＣトーンの位置上のＵＥに指示されることがある。この場合、他のヌメロロジーをサポートすることが難しくなり得るので、その場合、１５ｋＨｚの副搬送波間隔のみを使用することができる。
【００７２】
（２）タイプ１：両ＲＡＴが整列される場合、ＮＲはまた使用されていないＤＣトーンを予約することができる。この場合、ＮＲのＦＲＢ形成は影響を受けないことがある。ＮＲがＤＣトーンを予約しないと、タイプ０と類似したイシュー又は処理が必要となる可能性がある。
【００７３】
ＮＲとＬＴＥの中心周波数間の周波数オフセット、ＮＲシステムの帯域幅、必要な情報が構成されることができる。ＬＴＥをサポートしないＵＥの場合、ＬＴＥ帯域幅は、ブランクリソースとして扱われることがある。ブランクリソースの観点から、２つのタイプのブランクリソース構成が以下のように考慮される。
【００７４】
（１）全ブランクリソース：ＵＥは、任意のＲＳ／データ／制御が構成されたリソースにマッピングされないと仮定することができる。一例は、ブランクリソースとして１つのスロット又はサブフレームを構成することである。
【００７５】
（２）部分ブランクリソース：ＵＥは、少なくとも部分的なリソースが使用できないリソースに対して一部のＲＳ／データ／制御がマッピングできると仮定することができる。一部のリソースを使用できないという側面から、一部のシグナリングが考慮されることができる。例えば、１４４のビットマップ（１つのＲＢマッピング）が使用されることができ、各ビットはＰＲＢの１つのＲＥにマッピングされることができ、これは、構成されたＰＲＢにわたって一定であると仮定される。代わりの信号減少がさらに考慮されることもでき、例えば、レガシー制御領域シンボルの長さ、ＣＲＳポート、セルＩＤ、ＣＳＩ−ＲＳ、ＰＲＳ（positioning reference signal）などがレガシーＬＴＥのセル共通信号をカバーすることができる。代わりに、ブランクリソースは、ＰＲＢレベルの代わりに副搬送波レベルで構成されることができるため、より細密な構成を可能にする。代わりに、ブランクリソースは、周波数ドメインにおいてはＲＥレベルで、時間ドメインにおいてはＯＦＤＭシンボルレベルで構成されることができ、ＲＥレベルが全システム帯域幅又はＵＥ帯域幅に適用されることができる。
【００７６】
ブランクサブフレーム構成を動的に許容するために、半静的に構成されたブランクサブフレームセットが動的に使用可能になるか、又は使用不可能になることができる。例えば、ブランクリソースの半静的セットが構成されることができ、これは次のような方法の１つにより動的に使用可能になるか、又は使用不可能になることができる。
【００７７】
（１）動的シグナリングの明示的な使用可能／使用不可能：Ｌ１又はＭＡＣ（media access control） ＣＥ（control element）を使用して動的に使用可能／使用不可能になることができる。シグナリングは、ＵＥ固有又はセル共通又はグループ固有であり得る。
【００７８】
（２）ＵＥのブラインド検出（ＢＤ：blind detection）：スケジューリング及び／又はブランクリソースから関連付けられたＮＲ信号を検出することにより、ＵＥは、そのリソースがＮＲに使用されるか否かを検出することができる。または、ブランクリソース（例えば、ＬＴＥ ＣＲＳ）に存在できるいくつかの他の信号に対するＵＥ ＢＤによって、ＵＥは、そのリソースが他のＲＡＴ又は他の目的のために使用されるか否かを決定することができる。
【００７９】
ＵＥが（初期セル関連付け手順に基づいた）アンカーＲＡＴによって、ＬＴＥ及びＮＲで構成される場合、次のアプローチが考慮されることができる。
【００８０】
（１）アンカーＲＡＴがＬＴＥ：この場合、追加的なＮＲリソースは、ＣＲＳが送信されない可能性のある制御及び／又はデータの送信に使用できるセグメントと見なされることがある。制御／データ復調のためのＲＳは個別的にシグナリングされることができる。
【００８１】
（２）アンカーＲＡＴがＮＲ：この場合、追加的なＬＴＥリソースは、部分的なブランクリソースと見なされることがあり、これはレガシーＬＴＥ信号に関する適切なレートマッチングとして使用されることができる。
【００８２】
各ＲＡＴの帯域幅によって、（１）又は（２）が選択されて使用される。
【００８３】
また他のアプローチは、異なるＭＡＣにおいて別途のＭＡＣエンティティを許容するために２つのＲＡＴ間にＣＡ又はデュアルコネクティビティを仮定することである。例えば、タイプ０において、イントラ隣接ＣＡがＮＲ及びＬＴＥに対して仮定されることができる。タイプ１において、イントラＣＡが仮定されることができ、セグメントされたＮＲ搬送波の処理はＵＥの実装毎に異なる可能性がある。一例は、タイプ１において３つのイントラ隣接ＣＡ搬送波を構成することである。
【００８４】
ＣＡアプローチがＮＲとＬＴＥとの間で使用されると、次のような手順が明確になる。
【００８５】
（１）ＰＣｅｌｌ（primary cell）決定：ＮＲとＬＴＥの間で、ＰＣｅｌｌが明確になることができる。これは、初期同期信号検出に従うことができ、一旦セル関連付け手順が完了したら、ＲＲＣ、シグナリングを介して変更されることができる。言い換えると、前述した類似したセル関連付け手順は、セル関連付けが完了したら再構成できるＣＡケースにも使用されることができる。
【００８６】
（２）クロスキャリアスケジューリング：ＮＲ−ＭＡＣとＬＴＥ−ＭＡＣの間の緊密な相互作用を許容することにより、リアルタイム処理、クロスキャリアスケジューリングが使用できる。クロスキャリアスケジューリングが使用される場合、制御のフォーマットは他の搬送波をスケジューリングする搬送波に従うことができる。ＤＣＩコンテンツは、スケジューリングされた搬送波フォーマットに従うことができる。言い換えると、実際の制御チャネルフォーマットはスケジューリングする搬送波のＲＡＴに従い、コンテンツはスケジューリングされた搬送波のＲＡＴに基づく。１つの考慮事項は、ＬＴＥとＮＲの間の動的な帯域幅の変更を許容することであり、これは、スケジューリング、ＬＴＥの帯域幅を動的にスケジューリングで指示されることができる。
【００８７】
（３）ＳＲ（scheduling request）：ＳＲは、異なるフォーマットを有するいずれかのＲＡＴに送信されることができる。タイマー値が一致する限り、異なるＲＡＴ間に１つのタイマーが共有されることができる。または、各ＲＡＴごとに独立ＳＲを構成することができる。同一のタイマーが２つのＲＡＴ間で使用される場合、１つのＲＡＴにおいてタイマーが満了すると、他のＲＡＴにおいてタイマーが満了するようにタイマーをトリガリングすることができ、必要な手順が行われることができる。
【００８８】
（４）ＰＨＲ（power headroom report）：ＰＨＲはまた、２つのＲＡＴ間で共有される形式で報告されることができる。しかしながら、これは、２つのＲＡＴにより共有される各ＲＡＴごとに異なる内容を報告することが好ましい可能性がある。例えば、ＵＥがただ１つのアップリンク搬送波のみを使用することができる場合、ＰＨＲ値はＲＡＴタイプによって異なる場合があり、従って、ＵＥがただ１つのアップリンク搬送波のみをサポートしても２つの異なるＰＨＲが報告されることができる。ＵＬ搬送波のそれぞれが異なるＲＡＴと関連付けられることができるか、又は２つのＲＡＴ間で共有されることができる。構成によってＰＨＲ報告が異なる可能性がある。１つのＵＬ搬送波が２つの異なるＲＡＴと関連付けられることができる限り、異なるＰＨＲが報告されることができる。
【００８９】
ＬＴＥ及びＮＲをサポートするためにどのようなアプローチが用いられるかに関係なく、同期化仮定はＬＴＥ同期信号／ＲＳとＮＲ同期信号／ＲＳとの間で明確になる必要がある。前述したアプローチを許容するためには、少なくともＣＡ同期化要求事項（緊密な同期化）を満たさなければならない。簡単な仮定はＬＴＥ及びＮＲの同期信号／ＲＳ送信間のＱＣＬ（quasi-collocation）を仮定することであり得る。すなわち、ＬＴＥ同期信号及び／又はＲＳに基づいて、ＮＲ ＲＳは微調整（fine-tune）されることができる（そして、その逆も同様である）。
【００９０】
また他のアプローチは、デュアルコネクティビティ類似フレームワークを介してＬＴＥ及びＮＲを共にサポートすることであり、個別ＭＡＣ及び取り扱いを使用することができる。この場合、２つのＲＡＴの同期信号／ＲＳ間の関係は必要でない可能性もある。デュアルコネクティビティと類似して、同期化仮定は上位層シグナリングにより指示されることができる。
【００９１】
本発明の一実施形態による異なる連動メカニズムが説明される。
【００９２】
（１）ＲＲＣ又はユーザプレーン（ＵＰ：user plane）の接続別のＲＡＴタイプ構成
【００９３】
ＲＡＴ構成は、送信モードに類似に構成される。言い換えると、ＵＰベアラ又はＲＲＣ接続ごとに、異なるＲＡＴタイプが構成されることができる。異なるＲＡＴタイプは、以下の少なくとも１つのＵＥ動作を示すか定義することができる。
【００９４】
−ＮＲ制御チャネルの構成／設計又はＬＴＥ制御チャネルの構成／設計に従うか否かに関する制御チャネル設計
【００９５】
−ＤＣＩコンテンツ
【００９６】
−ＰＤＳＣＨコーディングメカニズム、ＴＢＳ（transport block size）テーブル、ＭＣＳ（modulation and coding scheme）テーブルなど
【００９７】
−ＣＱＩ（channel quality indicator）メカニズム
【００９８】
（２）ＮＲセルに対するＬＴＥセルの同期基準
【００９９】
効率的なＵＥ動作のために、セル共通送信は、１つのＲＡＴを使用して行われる。また、これは、ＳＣｅｌｌ追加で指示されることができ、異なる搬送波毎に異なるＲＡＴが使用されることができる。また、ＮＲ及びＬＴＥのセルがＣｏＭＰ動作を行う場合、データレートマッチングの観点から、ＲＡＴタイプが動的に指示されるか、レートマッチング因子が動的に指示されることができる。ＮＲで送信されたＲＳタイプ間のＱＣＬ関係が存在しないこともあるが、ＬＴＥ−ＣＲＳとＮＲ−ＲＳ（例えば、ＵＥ ＤＭ−ＲＳ（demodulation RS） 又はビームＲＳ）間のシグナリングできるＱＣＬ関係が存在しうる。このようなメカニズムを利用して、ＵＥはＮＲ−ＰＳＳ／ＮＲ−ＳＳを除いてはＮＲ ＲＳ送信により実行できない大雑把な同期化（coarse synchronization）を行うことができる。このセルは、基準搬送波で構成されることができる。このような方式により、ネットワークは、ＵＥ同期化性能を大きく損なうことなく、複数の隣接ＮＲセルとともに１つのＬＴＥセルを配置することができる。
【０１００】
（３）ＮＲセル又はＬＴＥセルへのデータオフローディング
【０１０１】
ブランクリソース構成、負荷などによって、ＬＴＥ及びＮＲを両方ともサポートするＵＥは、ＮＲ及びＬＴＥを有する同一の周波数の２つのセルで構成される。ＵＥは、いずれかのセルからはデータを受信し、いずれかのセルから制御を受信するように構成されている。データ及び／又は制御は、１つ又は２つのセルから動的に送信することができる。このアプローチの利点は、有効でないサブフレーム又は有効でないリソースに関係なくＵＥがサービスできるように短い遅延を許容することである。例えば、１つのアプローチは、同期信号のような「常時オン（always-on）」信号に対して２つのＲＡＴタイプの異なるサブフレーム位置を用いてＵＥが少なくとも１つのセルからこれらのリソースのデータで依然としてスケジューリングできるようにすることである。これは、ＬＴＥとＮＲセルの間にＣｏＭＰ演算を許容して部分的にサポートされることができる。レガシーＬＴＥ ＣｏＭＰとは異なり、レガシーＣＲＳ仮定は、各参加ＣｏＭＰセルのＲＡＴタイプによって変更されることができる。レガシーＣＲＳ受信の性能を向上させるために、選択的にゼロ電力（zero-power） ＣＲＳが隣のＮＲセルに使用されることができる。
【０１０２】
（４）ＬＴＥを介するグループ又はセル固有データ／制御送信及びＮＲを介するＵＥ固有制御／データ送信
【０１０３】
ＬＴＥとＮＲとの間の共存又は緊密な連動をサポートするための他のアプローチは、ＬＴＥの無指向性送信及びＮＲの指向性／ビーム形成送信を利用することである。例えば、ビーム方向を動的に変更して示すために、ＬＴＥ搬送波を使用してこのような信号を示すことができる。一例は、異なる周波数の２つの異なるアンテナ送信メカニズムで同一のヌメロロジーを利用することであり（これは、異なるセル又はｅＮＢにより動作できる）、無指向性送信は、放送情報、ビームスケジューリング情報を含むビーム形成された送信に必要な情報を示すことができる。他の例は、ＬＴＥセルを介して初期アクセスを行い、ＲＡＣＨ手順後に使用できるＮＲを集める（aggregate）ことである。これは、アンカー搬送波及び追加搬送波へのハンドオーバと類似し、ここで、アンカー搬送波は、ハンドオーバ搬送波又は追加搬送波と並行して動作できるか、又は並行して動作しないこともある。これが適用されると、ＮＲセルは、任意のセル共通信号を送信しないか、又は選択的にそれらの信号を遮断することができる。
【０１０４】
本発明の一実施形態によってＮＲのみをサポートするＵＥを処理する方法について説明する。これまではＬＴＥをサポートするＵＥを処理するためのメカニズムが議論された。しかしながら、ＵＥはＬＴＥを認識しないか、又はＬＴＥ及びＮＲを同一の周波数で同時にサポートしないこともありうる。この場合、スペクトルを有効に使用するために次の動作が考慮することができる。
【０１０５】
（１）ケース１：低周波でのＵＥ送信、高周波でのＵＥ受信（低周波は６ＧＨｚ以下、高周波は６ＧＨｚ以上、例えば、２ＧＨｚ／２８ＧＨｚであり得る。）
【０１０６】
（２）ケース２：低周波でのＵＥ送信、高／低周波でのＵＥ受信
【０１０７】
（３）ケース３：低／高周波でのＵＥ送信、高周波でのＵＥ受信
【０１０８】
（４）ケース４：低／高周波でのＵＥ送信、高／低周波でのＵＥ受信
【０１０９】
前述したそれぞれのケースについて、関連イシューを以下で説明する。
【０１１０】
図８は、タイミングアドバンスイシューの例を示す。ＵＥが前述したケース１又は２のようにＤＬ周波数に比べて異なるＵＬ周波数を使用し、ＵＥがＤＬ周波数にいずれの接続も有していない場合（例えば、低周波でＤＬ、高周波でＵＬ）、タイミングアドバンス（ＴＡ：timing advance）計算に多少の困難があり得る。図８に示すように、ＵＥがマイクロ（micro）からＤＬを受信してマクロ（macro）にＵＬを送信すると、両ＵＥ間の伝搬遅延は異なる可能性がある。マクロにより計算されたＴＡがマイクロにより伝達されると、これはマクロとＵＥの間で２倍の伝搬遅延を含むことがあるが、ＵＥのＤＬタイミングはマイクロとＵＥの間の伝搬遅延に基づく。
【０１１１】
図９は、マイクロとマクロの間のタイミング誤整列（misalignment）の例を示す。図９に示すように、マイクロとＵＥ間の伝搬遅延がほぼ０である場合、マクロからのＴＡを適用することにより、実際の到着時間は予想より速いことがある。しかしながら、ＵＥがＰＲＡＣＨ／ＳＲＳ（sounding reference signal）のような何らかの基準信号も送信しない限り、マイクロとマクロ間の電波遅延を推定することは難しい。
【０１１２】
前述した問題点を解決するために、次のアプローチの少なくとも１つが考慮されることができる。
【０１１３】
（１）ＵＬ送信のために延長されたＣＰ又はより長いＣＰを使用：マイクロとＵＥの間の知られていない伝搬遅延を補償するためにより長いＣＰがＵＬ送信のために使用されることができる。
【０１１４】
（２）マイクロとＵＥ間の伝搬遅延がほぼ０であると仮定：マイクロの小さなカバレッジを仮定すると、伝搬遅延は非常に小さい。この場合、ＴＡはマクロ又はマイクロにより調整されることができる （すなわち、ＴＡとして２＊伝搬遅延を利用する代わりに伝搬遅延がＴＡに設定される）。
【０１１５】
（３）マイクロにおいてＵＥ信号を傍受して伝搬遅延推定：また、他のアプローチは伝搬遅延を検出するためにマイクロにおいてＵＥからの信号送信を傍受することである。前記情報に基づいて、マクロからのＴＡはＵＥに伝達される前にマイクロ単位で調整できる。
【０１１６】
（４）ＵＬ送信のための同期を取得するために同一の周波数又はペアードスペクトル（paired spectrum）又は基準搬送波においてＤＬ信号を受信：例えば、ＵＥはＵＬ周波数に対応するＤＬ周波数においてＤＬ受信能力（同期信号及び／又は基準信号、すなわち、ＲＦ能力が備えられるのに対して、基底帯域能力が両搬送波を判読するようにサポートされない可能性もある）もサポートすることができる。ネットワークは、ＵＬ送信のために同期化が行われるべき基準搬送波を構成することができる。言い換えると、同期化のための基準搬送波は、ＵＬ送信とＤＬ受信との間で異なり、個別に構成できる。ＵＥは、同期と関連する信号のみを受信し、基準搬送波を介してＵＬ同期化を行う。ＴＡは、ＵＬ送信のために基準搬送波により追跡されるタイミングに基づいて適用できる。
【０１１７】
（５）ＵＥ位置情報に基づいて伝搬遅延を推定：一応推定が行われると、マクロ又はマイクロは調節されたＴＡを送信することができる。
【０１１８】
本発明の一実施形態による周波数／タイミングオフセットについて説明する。同一の周波数においてＬＴＥとＮＲが共存することによるもう１つのイシューは、周波数／タイミングオフセットを処理することである。ＤＬ周波数において、ＵＥにより測定された周波数／タイミングオフセットは、ＵＬ周波数に対して十分ではない可能性がある。また、ＤＬ及びＵＬ周波数が異なる場合、ＤＬとＵＬ間の異なる経路損失がイシューとなり得る。
【０１１９】
２つのｇＮＢが共に配置される場合も、使用された周波数スペクトルが非常に異なるか、そして／または各周波数において使用されたヌメロロジーが異なると、周波数オフセットがＵＬ送信に影響を及ぼすことがある。例えば、ＤＬ周波数が２８ＧＨｚであり、周波数オフセットの要求が０．１ｐｐｍであると、一般的にＵＥは約２．８ｋＨｚの搬送波のオフセットを有することができる。副搬送波間隔が大きい場合、この周波数のオフセットは大きなイシューではない可能性もある。しかしながら、低周波でのＵＬ送信がより小さい副搬送波間隔を使用する場合、ＤＬ周波数により補正された全体の周波数オフセットは十分ではないかも知れない。例えば、２．８ｋＨｚの周波数のエラーは約１．５ｐｐｍになる。これは、サンプリングオフセットに影響を与えるので、ｇＮＢにおける全般的な復調／検知性能が低下する可能性がある。
【０１２０】
前述した問題点を緩和するために、次のようなアプローチが考慮されることができる。
【０１２１】
（１）ＤＬ周波数において周波数オフセットを減少：より小さな副搬送波間隔を利用することにより、追跡ＲＳを送信することができる。追跡ＲＳに基づいて、ＵＥは最大０．０１ｐｐｍのように追跡性能を増加させることができるので、大きなイシューなしにＵＬスペクトルに対してこれを使用することができる。
【０１２２】
（２）ＵＬスペクトルに対応するＤＬスペクトルにおいてＤＬ追跡ＲＳを送信：ＵＥはまた、ＵＬスペクトルに対応するＤＬスペクトルをサポートすることができる。従って、ＵＥは、ＤＬ搬送波から少なくとも追跡ＲＳを受信することができる。ＵＥがセルにアタッチ（attach）している場合、ネットワークは、その対応するＵＬ搬送波及び追跡目的のためのＤＬ搬送波を示すことができる。追跡のためのＤＬ搬送波が構成される場合、ＳＳブロック及び／又は広帯域ＲＳ及び／又はＣＳＩ−ＲＳのような追跡ＲＳ送信の構成も示されることができる。より一般的に、これは基準ＤＬ搬送波がＵＬ搬送波に対して定義できると説明されることができる。基準ＤＬ搬送波は、サービングＤＬ周波数又はＳＳブロックが検出されたＤＬ周波数とは異なる。ＵＬ同期化のための基準ＤＬ搬送波は、ＮＲ ＤＬ搬送波又はＬＴＥ ＤＬ搬送波であり得る。ＵＥは、ＵＬ搬送波に対して対応するＤＬ搬送波においてＬＴＥ又はＮＲ（又は、両方とも）をサポートする必要がある。
【０１２３】
ＵＥがＵＬスペクトルの共有のために対応するＤＬ搬送波をサポートするように強制しないために、また他のアプローチは、ネットワークがＤＬ搬送波もサポートする場合、ＵＥが他のＤＬ搬送波をサポートできるようにすることである。ＵＥからサポートされる性能に基づいて、ネットワークは、ＵＬ搬送波に対して対応するＤＬ搬送波と同一か又は異なる基準ＤＬ搬送波を決定することができる。ネットワークが追跡性能を保証できれば、ＳＳブロックが検出されたサービングＤＬ搬送波又はＤＬ搬送波は基準ＤＬ搬送波として構成されることもできる。一例は、ギャップがそれほど大きくない場合にＤＬ及びＵＬを個別に構成（例えば、３．５ＧＨｚにおいてＤＬ及び１．８ＧＨｚにおいてＵＬ）することである。また、ネットワークは、ＤＬ搬送波がＬＴＥ又はＮＲを追跡目的に使用するか否かを示すことができる。ＬＴＥをサポートするＵＥは、ＬＴＥ搬送波から時間／周波数追跡を取得することもできる。
【０１２４】
このイシューを克服するために、ＵＬに対する周波数オフセットが相対的に高い場合、ＱＰＳＫ（quadrature phase shift keying）のようなロバストな変調がＵＬ送信に用いられる。または、ＵＥは、十分に正確な時間／周波数追跡結果を発生させることができるＤＬ搬送波から時間／周波数追跡を取得することができる。例えば、ＵＥが構成されたＵＬスペクトルに対応する１つのペアードＤＬスペクトル／搬送波においてＵＥがＬＴＥをサポートすると、ＵＬ搬送波に対する時間／周波数追跡のためにＮＲ ＤＬに依存する代わりに、ＵＥは、追跡ＲＳ（例えば、ＰＳＳ／ＳＳ／ＣＲＳ）を利用することができる。
【０１２５】
類似したメカニズムが経路損失の推定のためにも可能であり得る。ネットワークは、現在のＤＬスペクトルがＵＬスペクトル経路損失の測定に望ましくない場合、与えられたＵＬスペクトルに対する経路損失の推定のためにＤＬ搬送波を構成することもできる。基準ＤＬ搬送波がＵＥに構成されるか、ＵＥに活性化する必要がない場合もある。言い換えると、ＵＥは、基準ＤＬ搬送波から時間／周波数追跡及び／又は経路損失推定のみを取得することができる。これは、追加的な測定と見なされることができ、ＵＥはこのような構成に関係なく現在ＤＬ搬送波に基づいて経路損失及び／又は時間／周波数追跡を測定することもできる。これが所定のＵＬに対して構成されると、基準ＤＬ搬送波からの時間／周波数追跡（及び経路損失推定）がＵＬ送信のために使用されることができる。基準ＤＬ搬送波は、例えば、ＵＥ固有上位層シグナリング又はＰＢＣＨ又はＳＩによるセル固有シグナリングにより構成されることができる。
【０１２６】
（３）ＵＥは、任意のＤＬに対して対応するＵＬスペクトルを介してのみセル関連付けを開始することができる。セル関連付けの観点から、ＤＬスペクトルとＵＬスペクトルの間のギャップは、典型的なＦＤＤ及びＴＤＤギャップに従うことができる。ＵＥが搬送波に接続されると、ネットワークは、異なるデュプレックスギャップを有しうる異なるＵＬスペクトルに転換するようにＵＥに指示することができ、これは完全に異なる周波数帯域／範囲であり得る。これをサポートするために、ＵＥは、ＰＲＡＣＨが試みられるＵＬ周波数を含むＰＤＣＣＨオーダーで指示されることができる。ネットワークがＵＥからＰＲＡＣＨ送信を受信すると、ネットワークは、ネットワークがＵＥの時間／周波数オフセットを取得するように周波数／時間追跡を行うことができる。オフセット値は、ＲＡＲ又は対応するメッセージを介してＵＥに応答され、ＵＥが自分の時間／周波数を調整（tune）できるようにする。周期的な時間／周波数追跡はまた、ＵＥからのＳＲＳ及び／又はＤＭ−ＲＳ送信に基づいて行われることができる。
【０１２７】
（４）ＵＥは、相当の時間／周波数の追跡の性能ギャップを誘発できるＤＬ及びＵＬで構成されない可能性もある。このような場合、ネットワークは、ＵＬ送信のためにさらに大きな副搬送波間隔を用いることもできる。遅延拡散又はチャネル状態を補償するために、拡張ＣＰが使用されることもできる。従って、セルの初期アクセス手順のために高周波ＤＬ／低周波ＵＬペアリングをまたサポートする場合、Ｍｓｇ３からの拡張ＣＰの必要性及びヌメロロジーがＲＡＣＨの構成を介して指示されることができる。
【０１２８】
（５）ネットワークは、ＵＥから受信されたＲＳ又はＰＲＡＣＨに基づいて追跡を行うことができる。検出されたオフセットが補正のためにＵＥに通知されることもある。より良好な追跡のために、ＲＳ送信を追跡するためのＵＥ専用リソースが考慮されることがある。
【０１２９】
本発明の一実施形態による経路損失補償について説明される。ＤＬ及びＵＬ周波数が非常に異なる場合、経路の損失が非常に異なるため、電力制御、特に、開ループ電力制御が困難となる可能性がある。このイシューの緩和のために、次のアプローチを考慮することができる。
【０１３０】
（１）オプション１：ＵＥ固有搬送波周波数変更（ＵＥはＵＬ共有スペクトルだけでなく、ＮＲ ＤＬに対応するＮＲ ＵＬをサポートする）
【０１３１】
−ＮＲ ＤＬ ｆ１（ＮＲ ｆ１周波数に対してｆ１又はｆ２においてペアード又はアンペアードスペクトル仮定）、ＮＲ ＵＬ ｆ３
【０１３２】
−ｆ１において経路損失測定
【０１３３】
−ｆ２又はｆ１のＰＲＡＣＨ構成に従うｆ２又はｆ１を介してＰＲＡＣＨ送信
【０１３４】
−ＲＡＲによるＴＡ調整
【０１３５】
−ｆ３ ＵＬスペクトル上のＰＤＣＣＨオーダー
【０１３６】
−ｇＮＢは、経路損失オフセット及びＴＡオフセットを測定し、電力制御に用いられる経路損失のオフセットを示す。経路損失に追加して、ＵＬ電力制御のためのオフセットが追加されることがある。
【０１３７】
（２）オプション２：セル固有ＮＲ ＤＬ−ＵＬ共有ＮＲ ＵＬペアリング
【０１３８】
−ネットワークはＤＬとＵＬの間のオフセットが分かる。従って、ネットワークは、ＵＥ固有信号を介して又はＲＡＣＨ構成を介して経路損失オフセットをＵＥに指示することができる。
【０１３９】
- 代わりに、ＵＥがＰＲＡＣＨを送信すると、ネットワークはＰＲＡＣＨのために使用された電力に基づいて可能な経路損失を測定する。このために、ＵＥにおける電力レベルは、ＰＲＡＣＨ構成で示されることができる。または、初期アクセス後に、経路損失補償は、ＰＤＣＣＨオーダー又はＵＥで使用される要求された電力が明示的に指示できる他の要求により開始されることがある。または、ＳＲＳは、閉ループに基づいてＵＥ電力を高くするか、低くすることに使用される。開ループ電力制御のために、明示された電力レベルによる明示的なＰＲＡＣＨ又はＵＬ送信に基づいて経路損失差が測定されることがある。オフセットを測定した後、ネットワークは、オフセットを指示して電力制御計算に加算されるようにすることができる。
【０１４０】
本発明の一実施形態による初期アクセスが説明される。異なる周波数帯域においてＤＬ（ｆ１）及びＵＬ（ｆ３）スペクトルを利用する観点から、これは次のような３つのカテゴリに分類されることができる。ここで、ｆ１に対する対応するＵＬスペクトルはｆ２と仮定することができる。
【０１４１】
（１）ＲＲＣ接続ＵＥのみがＵＬスペクトルｆ３に接続できる。
【０１４２】
（２）ＲＲＣ接続ＵＥ及びＲＲＣ非活性化ＵＥがＵＬスペクトルｆ３に接続できる。
【０１４３】
（３）全てのＲＲＣ接続／アイドルＵＥがスペクトルｆ３に接続できる。
【０１４４】
帯域定義の観点から表１による次の帯域が考慮されることができる。
【０１４５】
【表１】
2020504532.tif 000003
【０１４６】
帯域が前述したように定義されると、ＵＥは帯域Ｘ又は帯域Ｙをサポートするか又は両帯域を両方ともサポートすることができる。サポートされる帯域がネットワークに指示されることができる。ＵＥが帯域Ｘのみをサポートする可能性がある場合、ネットワークは、帯域Ｘと帯域Ｙの初期アクセスを同時にサポートするか、又は、ＵＥがＳＣｅｌｌアタッチ又はセカンドリＳＣＧ（secondary cell group）アタッチのみを介して帯域Ｘに接続することもできる（ＰＣｅｌｌ又はＭＣＧ（master cell group）が経路損失／周波数オフセット推定に必要なリソースを構成することができる）。
【０１４７】
それぞれのケースに対して、異なる初期アクセス手順が以下のように考慮されることができる。
【０１４８】
（１）ＲＲＣ接続ＵＥのみがＵＬスペクトルｆ３に接続することができる。
【０１４９】
この場合、ＵＥは、ｆ１及びｆ２において初期アクセスを行うことができる。ＵＥが接続されると、ＵＥはＰＤＣＣＨオーダー又はＵＬスペクトルのＲＲＣ再構成などの他の手順を介して異なるＵＬ周波数に再構成されることができる。再構成のとき、帯域幅の構成及びＵＬ中心周波数などを構成することができる。この場合、ｆ２においてＵＬをシャットオフ（shut off）せずに２つのＵＬを維持することが可能であるかもしれない。ｆ２を維持する利点は、ＳＲＳ／ＤＭ−ＲＳ送信を介してチャネル相互性をサポートすることである。ＵＥは、ｆ２及び／又はｆ３を介して、制御及び／又はデータを送信することができる。これをサポートするために、ＤＬ搬送波及びＵＬ搬送波の構成が個別に行われることができ、活性化／非活性化がＤＬとＵＬ搬送波間に独立的に行われることができる。アンペアードスペクトルに対しても、ＤＬ／ＵＬ搬送波の独立的な活性化／非活性化が考慮されることができる。ＵＥは、アイドル又は無効状態になると、ｆ２に転換することができる。
【０１５０】
（２）ＲＲＣ接続ＵＥ及びＲＲＣ非活性化ＵＥはＵＬスペクトルｆ３に接続することができる。
【０１５１】
（１）とは異なり、ＵＥは、ＵＬスペクトル情報を非活性状態で維持することができる。ＵＥが２つ以上のＵＬスペクトル（例えば、ｆ２及びｆ３）で構成される場合、ＵＥは、非活性化状態に進入する場合にｆ３の代わりにｆ２を維持することができる。１つのＵＬ（例えば、ｆ３）をサポートするＵＥに対して、ｆ１及びｆ３を介する初期アクセス手順が必要なことがある。
【０１５２】
（３）全てのＲＲＣ接続／アイドルＵＥはＵＬスペクトルｆ３に接続することができる。
【０１５３】
ｆ３での初期アクセスをサポートするため、ＰＲＡＣＨ構成はリソースを含むことができる。帯域Ｘ又は帯域ＹのみをサポートするＵＥがあると仮定する場合、ｆ２及びｆ３の両方でＰＲＡＣＨリソースが必要なことがある。言い換えると、異なるアップリンク周波数において複数のＰＲＡＣＨ構成が必要になることがある。ＰＲＡＣＨ構成は、以下の少なくとも１つを含む。
【０１５４】
−ＵＬ搬送波の周波数又は中心周波数又は周波数位置を含むＰＲＡＣＨリソース：周波数位置は、帯域情報、及びＰＲＡＣＨリソースと帯域の中心間のオフセット、又はＰＲＡＣＨリソースとＤＬ周波数又は中心に対応する前記予想されるＵＬ周波数又はＳＳブロックの中心間のオフセットを含むことができる。例えば、固定されたＤＬ−ＵＬギャップが周波数帯域毎に仮定される場合、ＳＳブロックの位置又はＤＬ搬送波の中心に応じて、ＵＬ搬送波の中心又は基準位置はＤＬ搬送波＋固定ＤＬ−ＵＬギャップに対する基準点として仮定されることができ、ＰＲＡＣＨリソースは、基準ＵＬ周波数を中心に又はこれに基づくＰＲＢインデックス又はＰＲＡＣＨリソースと基準点の間のオフセットに基づいて構成されることができる。帯域中心がＰＲＢインデックスのためのＤＬ搬送波に対する基準点として用いられる場合、搬送波内の最大ＲＢ数は帯域のサイズにより定義されることができる。
【０１５５】
−ＰＲＡＣＨの送信に使用されるヌメロロジー：補助（supplemental）ＵＬ（ＳＵＬ）搬送波でのＰＲＡＣＨ送信とｆ１上のＤＬ搬送波でのＲＡＲ送信の間のタイミングは、ｆ１（又は、ＦＤＤの場合はＦ２）上のＵＬ搬送波でのＰＲＡＣＨ送信とｆ１上のＤＬ搬送波でのＲＡＲ送信の間のタイミングと異なることがある。ＲＡＲに対する同一のタイミングを維持するために、ＲＡＲタイミングは、ＰＲＡＣＨ送信の終了（又は、ＰＲＡＣＨが送信されたスロットの終了）からＲＡＲ送信に使用されるＤＬ搬送波のヌメロロジーに基づいて決定されることができる。
【０１５６】
−Ｍｓｇ３の送信に使用されるヌメロロジー：Ｍｓｇ３（他のＰＲＡＣＨの場合）に使用されたヌメロロジーは、周波数帯域ごとに構成又は定義されるか、ＰＲＡＣＨ構成で構成されることができる。Ｍｓｇ３送信のためのタイミングは、Ｍｓｇ３の送信に使用されたヌメロロジーに従うことができる。
【０１５７】
最も良いビーム情報を伝達するためのもう１つのアプローチは、ＰＲＡＣＨを両方のＵＬ搬送波で同時に送信することである。代わりに、ＳＵＬを構成するために、送信ビームの個数がそれほど多くないため、ビームに基づくリソースが構成されるか、又はＲＡＲが多重ビームを介して送信されることがある。または、ＤＬ搬送波が多重ビームを使用しない場合にのみＳＵＬが構成されることがある。ＰＲＡＣＨが同時に送信される場合、２つの関係が予め定義（すなわち、ｆ１（又は、ＦＤＤでｆ２） ＵＬとＳＵＬ ＰＲＡＣＨリソースの間のリソース）されるか、または明示的に構成されて、ネットワークが２つの送信が同一のＵＥからの送信であるか否かを決定することができる。ＵＥの観点から、ＵＥは、電力制限された場合もあり得るので、送信は同時送信の代わりに順次方式で行われることができる。
【０１５８】
異なるＵＬ周波数において複数のＰＲＡＣＨリソースが構成される場合、ＵＥは以下の少なくとも１つに基づいて自分のＰＲＡＣＨリソースを選択することができる。
【０１５９】
−ＵＥ能力：ＵＥが帯域Ｘ又は帯域Ｙをサポートするか、又は両方ともをサポートするか
【０１６０】
−ＵＥ ＲＳＲＰ（reference signal received power）測定：（閾値と比較して）ＲＳＲＰが低い場合、ＵＥは、より良好なカバレッジのためにｆ３を選択することができる。そうでないと、ＵＥは、より少ない複雑度のためにｆ２を選択することができる。
【０１６１】
−ＵＥ移動性：ＵＥ移動性によって、ＵＥは、異なるＵＬ周波数を選択することができる。
【０１６２】
ＵＥがＵＬスペクトルを全てサポートし、ネットワークが両ＵＬ周波数を両方ともサポートする場合、ビームの失敗が発生すると、ＵＥは信頼性を高めるためにｆ２の代わりにｆ３を介してビーム失敗復旧要求を送信することができる。言い換えると、ＵＥがＵＬ送信のためにビームスイーピング（sweeping）を行う必要がある場合、ＵＥは、高速送信、低いオーバーヘッド、及びより良好な信頼性のためにｆ２に転換することができる。
【０１６３】
この場合、ＤＬとＵＬとの間のビーム対応が仮定されないことがある。この動作をサポートするために次のアプローチが考慮されることができる。
【０１６４】
−ＰＲＡＣＨ送信のための１つのビームのみが存在する可能性があるので、単一ＰＲＡＣＨ構成が使用される。それぞれのＳＳブロックにおいて行われるＰＲＡＣＨ構成は同一であり得る。ビームペアリングがＲＡＣＨ手順により達成できないため、ＵＥはＤＬの最も良いビームインデックスを通知する必要がある。最も良いビームインデックスは、ＲＡＲ送信に使用できる。最も良いビームインデックスを指示するために、他のアプローチが考慮されることができる：（１）ＰＲＡＣＨは最も良いビームを指示するためにデータを伝達することができ、（２）ＰＲＥＡＢＭＬＥシーケンス又はＰＲＡＣＨリソースは、最も良いビームによって選択されることができる。ネットワークが各ビームに対応する異なるＰＲＡＣＨリソースを構成すると、ＵＥはＰＲＡＣＨリソースを選択して最も良いビームを通知することができる。これはネットワークが複数のＤＬビームに対して複数のＰＲＡＣＨリソースを構成する必要があることを意味する。代わりに、ＲＡＲ送信が複数のビームにわたって発生することもある。ＰＲＡＣＨの送信において、ネットワークは、ＤＬに対する最も良いビームを認識しない。多重ビームを介してＲＡＲを送信した後、最も良いビームがＭｓｇ３に報告されることができる。その後、最も良いビームがＤＬ送信のために用いられることができる。受信機ビームが複数であると、ＰＲＡＣＨリソースの繰り返しが構成されることができ、ＵＥは構成された数に対して自分のＰＲＡＣＨの送信を繰り返すことができる。
【０１６５】
−ＰＲＡＣＨ送信のための複数のビームが存在することがあり、ＵＥは、ビームペアリングがｆ２及びｆ３において異なるかもしれないので、ＰＲＡＣＨを複数回送信する必要があり得る。これを可能とするために、ＰＲＡＣＨ送信のための１つ以上のリソースが構成される。または、ＵＥは、試みごとにビームを変更することができる。ＰＲＡＣＨ送信のための２つ以上のリソースが構成されると、ＰＲＡＣＨ構成の数はＰＲＡＣＨ構成においてネットワークにより示されることができる。受信機ビームが複数であると、単一ビーム方向を有するＰＲＡＣＨ送信に対するＰＲＡＣＨリソースの繰り返しが構成され、ＵＥは構成された数で自分のＰＲＡＣＨ送信を繰り返すことができる。ＵＬ送信のために選択されたビームがＭｓｇ３送信のためにＲＡＲで示されることができる。
【０１６６】
図１０は、本発明の実施形態によってＰＲＡＣＨが最も良いビーム情報を伝達しない場合の例を示す。この場合、異なる周波数によりＤＬ及びＵＬに対してビーム復元が（それぞれＵＥ及びネットワークにより）行われる必要があり得る。ビーム復元及び測定のために、ＵＥはネットワーク構成によりビームスイッチングＲＳ（例えば、ＳＲＳ又はＤＭ−ＲＳ）を周期的に送信することができる。ＵＥは、ＤＬ ＲＳ（例えば、ＳＳブロック、ＣＳＩ−ＲＳなど）に基づいてビーム追跡／管理を行うことができる。
【０１６７】
ＤＬ／ＵＬの非対称性からの影響を緩和するために、ＵＥはカバレッジ目的のためにｆ３での追加的なＵＬに構成されることが望ましい。または、ｆ３でのＵＬはカバレッジイシューがあるＵＥにのみ構成される。すなわち、ｆ３のＵＬはＲＲＣの接続状態でのみ構成されることができる。
【０１６８】
要約すると、ＵＥが異なる周波数帯域においてＤＬ及びＵＬの帯域組み合わせをサポートする場合、ＵＥの能力に応じて次の２つのアプローチが考慮されることができる。ｆ１上のＤＬ搬送波とｆ２上のＵＬ搬送波の帯域組み合わせはＵＬ共有帯域と呼ばれることができる。
【０１６９】
（１）ＵＥがｆ１上のＤＬ搬送波及びｆ２上のＵＬ搬送波をサポートする場合、ＵＥは、ｆ１上のＤＬ搬送波及びｆ１上のＵＬ搬送波（又は、ｆ１がＦＤＤ帯域である場合はペアードＵＬスペクトル）をサポートすることができる。すなわち,ＵＥは、ＮＲスペクトルにおいてＮＲ ＤＬ／ＵＬ搬送波をサポートすることができ、ＮＲ／ＬＴＥ帯域組み合わせにおいてＮＲ ＤＬ／ＵＬ搬送波をサポートすることができる。
【０１７０】
（２）ＵＥは、ｆ１上のＤＬ搬送波及びｆ１上のＵＬ搬送波（又はｆ１がＦＤＤ帯域である場合はペアードＵＬスペクトル）、又はｆ１上のＤＬ搬送波及びｆ２上のＵＬ搬送波又は両方ともをサポートすることができる。帯域組み合わせのうち１つ又は両方ともをサポートするか否かはＵＥ能力にかかっている。
【０１７１】
第１のアプローチが用いられる場合、ＵＥがＮＲスペクトルにおいてＮＲ ＤＬ／ＵＬ組み合わせを介してＮＲ搬送波に最初にアクセスすると仮定して初期アクセス手順が設計されることができる。これは、ＵＥが時間／周波数オフセット及び経路損失差を処理するメカニズムを許容することができる。すなわち、第１アプローチが使用されると、時間／周波数オフセット及び経路損失差を緩和するためのメカニズムがＲＲＣ＿ＣＯＮＮＥＣＴＥＤ  ＵＥに対して開始されることができ、初期アクセス後にｆ２ ＵＬがＵＥに対して構成されることができる。
【０１７２】
第２のアプローチが用いられる場合、初期アクセス手順は異なる周波数範囲において複数のＰＲＡＣＨ構成を要求できる異なるＵＥをサポートする必要があり、そして、時間／周波数オフセット及び経路損失差を最初から処理する必要がある。これがサポートされると、ＮＲ ＤＬ搬送波において異なるＤＬ搬送波からの時間／周波数オフセットの追跡及び経路損失の推定をサポートすることが望ましい。これは、ＵＥがＵＬ搬送波に対応するペアードＤＬ（又は、同一のｆ２）搬送波を介して少なくとも時間／周波数の追跡及び経路損失推定をサポートする必要があることを意味する。
【０１７３】
ＳＵＬの様々な様相が本発明の実施形態によって詳細に説明される。
【０１７４】
図１１は、本発明の一実施形態によるＳＵＬに対するシナリオの例を示す。図１１において、ＬＴＥ帯域は比較的低い周波数を使用し、ＮＲ帯域は比較的高い周波数（例えば、３．５ＧＨｚ）を使用する。図１１の（ａ）は、スタンドアローン（stand-alone）ＳＵＬの場合を示す。この場合、ＬＴＥ帯域のＵＬ搬送波がＮＲに対する補助ＵＬ搬送波として用いられる。ＮＲに対する補助ＵＬ搬送波は、ＮＲ帯域でのＮＲ ＤＬ／ＵＬ搬送波に対応する。図１１の（ｂ）は、デュアルコネクティビティＳＵＬの場合を示す。この場合、ＬＴＥ帯域のＵＬ搬送波は、ＬＴＥ ＵＬ搬送波とＮＲの補助ＵＬ搬送波とに分けられ、ＮＲに対する補助ＵＬ搬送波は、ＮＲ帯域のＮＲ ＤＬ／ＵＬ搬送波に対応する。ＬＴＥ帯域において、ＬＴＥ ＵＬ搬送波及びＮＲに対する補助ＵＬ搬送波は、ＴＤＭ又はＦＤＭに分けられる。
【０１７５】
ＳＵＬ動作をサポートするために、多重ＰＲＡＣＨ構成が指示される必要がある。スタンドアローンＳＵＬがサポートされると、ＰＲＡＣＨ構成をＲＭＳＩ（remaining minimum system information）を介して通知する必要がある。ＵＥは、ＵＥ能力（例えば、ＵＥがＳＵＬをサポートするか否か）及びＲＲＭ（radio resource management）測定などのＲＳＲＰに基づいてＰＲＡＣＨリソースを選択することができる。また、次のように、解決しなければならないいくつかのイシューがあり得る。
【０１７６】
（１）ＰＲＡＣＨ電力決定：異なる電力構成、例えば、ＴａｒｇｅｔＲｅｃｅｉｖｅｄＰｏｗｅｒが異なる周波数での経路損失差を解決するために個々のＰＲＡＣＨリソースごとに構成される。
【０１７７】
（２）ＲＡＣＨ手順においてＳＵＬ搬送波が選択される場合、ＮＲ ＴＤＤ／ＦＤＤ ＵＬ搬送波の処理：また他のイシューは、ＮＲ ＴＤＤ／ＦＤＤ ＵＬ搬送波とＳＵＬ搬送波との間の同時送信を許容するか、又はいずれか１つが選択されるかのことである。ＳＵＬの主な動機の１つは、ＤＬとＵＬとの間の非対称カバレッジを取り扱うことであるので、ＮＲ ＴＤＤ／ＦＤＤ ＵＬ搬送波とＳＵＬ搬送波との間の同時送信を可能にする強い動機はない。ＵＥは、ＲＲＭ測定に基づいて１つの周波数を選択することができ、ＲＡＣＨ手順を介して自分のＵＬ周波数を再び変更するまで、又は、上位層により変更されるように構成されるまで留まることができる。従って、ＳＵＬが適用される場合、２つのＵＬ周波数の間で同時送信又は動的転換が許容されないこともある。ＵＥがＲＡＣＨ手順で選択することにより１つの搬送波を介して留まる場合、ＵＥは対応するＤＬがプライマリ搬送波であると、ＰＵＣＣＨを送信するように構成される。ＵＥがＳＵＬで構成される場合、以下が考慮される。
【０１７８】
−ＵＥがＳＵＬ搬送波が構成されるただ１つの搬送波で構成される場合、ＰＲＡＣＨ送信のためにＳＵＬ搬送波が選択されると、ＵＥは、ＰＲＡＣＨ／ＰＵＣＣＨをＵＬ−ＰＣＣ（primary component carrier）及びＳＵＬ搬送波の両方において送信することができる。これは、ＵＥがＰＲＡＣＨをＵＬ−ＰＣＣにおいて送信した後、ＵＥは、２つのＰＵＣＣＨグループ又はセルグループで構成されることを意味し、ＳＵＬ搬送波は１つのセルグループ内のＰＵＣＣＨセルであり得る。しかしながら、いずれか１つのＰＵＣＣＨセルが与えられた時間にＰＵＣＣＨ送信のために使用できるようにＰＵＣＣＨ送信のための１つのＤＬのみがあり得る。ＰＵＣＣＨ送信の指示は半静的に構成されるか、又はＤＬスケジューリングにより動的に指示されることがある。または、ＵＥは、ＵＬ−ＰＣＣがＰＲＡＣＨを送信するセルに変更できると推定することができる。言い換えると、ＵＬ−ＰＣＣの観点から、異なる帯域でのＤＬ−ＰＣＣとＵＬ−ＰＣＣとの間の柔軟なペアリングがサポートされることができる。または、ＵＥは、ＵＬ−ＳＣＣ（secondary component carrier）がＰＵＣＣＨセルで構成され、ＵＥはＵＬ−ＰＣＣがＰＵＣＣＨを運ばない場合もあると仮定することができる。ＵＬ−ＰＣＣは、依然としてＰＲＡＣＨ及び／又はＳＲＳを送信するために活性化されることができる。ＰＵＣＣＨ送信のためのＵＬ−ＳＣＣは半静的に構成されるか、ＤＬスケジューリングにより動的に指示されることがある。動的な指示の場合、タイミング及びＰＵＣＣＨのフォーマット、及び必要なＰＵＣＣＨパラメータがＰＵＣＣＨセルによって、差別化されることができる。または、ＵＥは、非ＰＣＣ搬送波に対してのみＳＵＬ搬送波で構成されることができる。
【０１７９】
−ＰＵＣＣＨセルが（ＦＤＤ又はＴＤＤスペクトルによってＤＬ−ＰＣＣとペアリングされるか又は同一の）ＵＬ−ＰＣＣ及びＳＵＬ搬送波のうち１つの搬送波で構成される場合、ＰＵＳＣＨ送信はＰＵＣＣＨセルに従うことができ、ＰＵＣＣＨセルに制限されるか、ＰＵＣＣＨセルとは異なる搬送波に半静的に構成されるか、又はＵＬ承認を介して動的に指示されることがある。動的な指示の場合、ＰＵＳＣＨ送信のタイミング差又はタイミング適用は、ＰＵＳＣＨが送信される搬送波に従うことができる。
【０１８０】
（３）ＰＤＳＣＨ−ＨＡＲＱ−ＡＣＫ及びＰＤＣＣＨ−ＰＵＳＣＨのタイミング：ＨＡＲＱ−ＡＣＫ及びＰＵＳＣＨの送信に対するタイミングの動的又は半静的な指示を許容することが合意された。ＤＬとＵＬが異なるヌメロロジーを使用するので、スロットサイズが異なると、タイミング値を適用するための基準タイミングを決定しなければならない。次のアプローチを考慮することができる。
【０１８１】
図１２は、本発明の一実施形態によるＰＤＳＣＨ−ＨＡＲＱ−ＡＣＫ及び／又はＰＤＣＣＨ−ＰＵＳＣＨのタイミングの例を示す。
【０１８２】
−アプローチ１：図１２の（ａ）はアプローチ１に対応する。ＳＵＬ搬送波のスロットに基づいてタイミングが決定されることができる。例えば、ＰＵＳＣＨのタイミングがＰＤＣＣＨ以降に１であると、ＰＤＣＣＨのＤＬスロットと重畳されるスロットの次のスロットがＰＵＳＣＨ送信のために使用されることができる。言い換えると、ＳＵＬ搬送波又はＰＵＣＣＨ又はＰＵＳＣＨが送信される搬送波において使用されるヌメロロジーに基づいてタイミングが決定されることができる。
【０１８３】
−アプローチ２：図１２の（ｂ）はアプローチ２に対応する。ＤＬ搬送波のスロットに基づいてタイミングが決定されることができる。ＤＬ搬送波のスロットに基づいてタイミングが適用されることができ、ＳＵＬ搬送波のスロットの開始（すなわち、タイミングがＳＵＬ搬送波のスロットの中間にあると、次に利用可能なＳＵＬ搬送波のスロット）においてＵＬ送信が発生することがある。
【０１８４】
−アプローチ３：図１２の（ｃ）はアプローチ３に対応する。タイミングは、ＤＬ搬送波のスロット（又は、ＵＬ送信）に基づいて決定でき、ＵＬ送信はミニスロットを使用して発生することができる。次に利用可能なＵＬスロットへの送信を遅延させる代わりに、ミニスロットスケジューリングが使用されることができる。しかしながら、ＳＵＬ搬送波のスロットがＤＬ搬送波のスロットに均等に分配されない可能性があるので、特定ヌメロロジー（例えば、６０ｋＨｚ及び１５ｋＨｚ）間にはこの機能が動作しないことがある。このアプローチを処理するために、不均一なミニスロットデュレーションを有するミニスロット構造が考慮される。代わりに、ＤＬ搬送波のスロットに基づくタイミングと整列される最も近い次のミニスロット又はＵＬ搬送波のスロットに基づくタイミングのミニスロットに基づく指示が考慮される。例えば、ミニスロットに基づく方式が使用される場合、タイミングが２であると、ＤＬ搬送波のスロットの２スロット以降で最も近いミニスロットがＰＵＣＣＨの送信に使用されることができる。ミニスロットレベル又はＯＦＤＭシンボルレベル指示のタイミングを有するタイミング決定のためにＵＬスロットのヌメロロジーを使って類似のメカニズムが実現できる。
【０１８５】
それにもかかわらず、異なるヌメロロジーを有する２つの異なる搬送波間のクロスキャリアスケジューリング及びＵＣＩ送信の類似／同一なアプローチがまたＳＵＬシナリオを処理するのに使用されることができる。
【０１８６】
（４）デュアルコネクティビティシナリオ：ＵＥがＴＤＭを介してＬＴＥ ＵＬ及びＮＲ ＵＬが共有されるデュアルコネクティビティで構成される場合、単一の活性ＵＬと同一の扱いが必要なことがある。ＬＴＥとＮＲがＦＤＭを介してスペクトルを共有する場合、ＵＥのハードウェアの要求事項を明確にする必要がある。ＵＥ ＲＦ構造によって、ＵＬのタイミング差及び波形のような追加的な制約が存在することがある。
【０１８７】
３つ以上のＵＬ搬送波が１つのＤＬ搬送波に対応して構成されるか、３つ以上のＵＬ搬送波が１つのＵＬ搬送波グループに含まれる場合、ＰＵＣＣＨはそのうちの１つで送信されることができる。ＰＵＣＣＨ転換をサポートするために、次のアプローチが考慮されることができる。
【０１８８】
−ＰＵＣＣＨセルの半静的構成：ＰＵＣＣＨセルは、ＲＲＣ又はＭＡＣ ＣＥ又は動的構成により変更されることができる。曖昧性を処理するために、特に異なるヌメロロジーが２つのＵＬ搬送波間で使用される場合、ネットワークは、それぞれのタイミング（すなわち、それぞれのＰＵＣＣＨ搬送波のヌメロロジーに基づく）に基づいて両方のリソースにおいてブラインド検出を行うことが予想される。代わりに、ＰＵＣＣＨセルは、ＰＵＣＣＨのヌメロロジーに基づいてタイミングが決定されるＰＵＣＣＨリソースの１つであるかのように動的に指示されることができる。例えば、ＵＥがＰＵＣＣＨ送信のために、各ＰＵＣＣＨセルにおいて１５ｋＨｚの副搬送波間隔及び６０ｋＨｚの副搬送波間隔で構成される２つのＰＵＣＣＨセルがある場合、（１５ｋＨｚの副搬送波間隔の）ＰＵＣＣＨ Ａが動的に指示されると、タイミングは１５ｋＨｚのヌメロロジーに基づいて決定される。それに対して、（６０ｋＨｚの副搬送波間隔の）ＰＵＣＣＨ Ｂが動的に指示されると、タイミングは６０ｋＨｚのヌメロロジーに基づいて決定される。
【０１８９】
−ＰＵＣＣＨセルの動的構成：他の方法は、周波数リソースのようにＰＵＣＣＨセルを処理することであり、ＰＵＣＣＨセルは前述したように動的に指示されることができる。
【０１９０】
ＰＵＳＣＨピギーバック（piggyback）のために、次のようなアプローチが考慮されることができる。
【０１９１】
−明白なピギーバック指示及び搬送波指示：１つのアプローチは、与えられたＨＡＲＱ−ＡＣＫフィードバックに対してピギーバックが期待されるか否かを指示し、期待される場合、搬送波インデックス又は帯域幅部分（ＢＷＰ：bandwidth part）インデックスが指示される。ＵＥは、指示されたリソースにおいてＵＬの承認を期待することができる。タイミングは、ピギーバックが発生しうるＰＵＳＣＨのヌメロロジー又はＰＵＣＣＨヌメロロジーに基づいて決定されることができる。
【０１９２】
−ＨＡＲＱ−ＡＣＫのタイミングは、ＰＵＣＣＨヌメロロジーに基づいて決められる。ＯＦＤＭシンボル又はスロットレベル指示が使用されることができる。ＯＦＤＭシンボルレベル指示が使用される場合、元のスタートＰＵＣＣＨシンボルと重畳されるＯＦＤＭシンボル内の任意のＰＵＳＣＨにおいてピギーバッグが発生することがある。言い換えると、実際のピギーバック位置は、ＰＵＣＣＨの送信開始と同一であり得る。スロットレベル指示が使用されると、ピギーバックは、ＰＵＣＣＨ送信と重畳される第１送信で発生することがある。シンボルレベル指示が使用され、例えば、ＰＵＣＣＨヌメロロジーが１５ｋＨｚであり、７シンボルの６０ｋＨｚを有するＰＵＳＣＨがスケジューリングされると、ＰＵＣＣＨ送信の第１シンボルに重畳された６０ｋＨｚのシンボルがＨＡＲＱ−ＡＣＫをピギーバックすることができる。
【０１９３】
−ＣＳＩフィードバックの場合、周期（例えば、スロット又はシンボルレベル）の粒度（granularity）によって、異なる扱いも考慮されることができる。スロットレベルピギーバックは（ＣＳＩ用）ＰＵＣＣＨスロットと重畳される第１送信に従うことができ、シンボルレベルピギーバックはピギーバックのための同一のＯＦＤＭシンボルに従うことができる。
【０１９４】
ハーフ搬送波シフト（half-carrier shift）に対して、ＬＴＥ ＵＬスペクトルと共有する場合、ＮＲ ＵＬにおいてハーフ搬送波シフトを許容するか否かが議論された。ハーフ搬送波シフトがＢＷＰ構成以外にも、７．５ｋＨｚシフトのＵＬの中心の指示又は基底帯域処理により採択される場合、ＵＬの中心周波数を指示しなければならない場合もある。この情報は、ＰＲＡＣＨ構成で構成されるか、ＲＡＲで指示されることができる。
【０１９５】
単一活性ＵＬの場合、ＮＲ非スタンドアローン動作に対して与えられた時間に１つの活性ＵＬ搬送波をサポートすることに合意した。これをサポートするために次のようなアプローチが考慮されることができる。
【０１９６】
（１）ＵＬリソースは、ＮＲとＬＴＥとの間で半静的に分割されることができ、各ＲＡＴへのＵＬ送信が割り当てられたＵＬリソースにおいてそれぞれ発生することができる。
【０１９７】
（２）ＵＣＩタイプ及び／又はＣＧに基づいたスケジューリング及び優先順位に基づいてＮＲとＬＴＥとの間にＵＬリソースが動的に使用されることができる。また他のアプローチは、各ＵＬリソースにおいて採用するＵＬ送信を動的に選択できるようにすることである。可能な衝突ケースを処理するために各ＣＧの処理時間が異なるので、スケジューリングによる完全な衝突回避が容易に実現されないことがあるため、ＵＣＩタイプ及びＣＧのような優先順位規則が必要となることがある。
【０１９８】
（３）ＮＲ及びＬＴＥデュアルコネクティビティがＣＡのように処理できるので、ＵＣＩの集合体（aggregation）及びデータが２つのＣＧ間に集められることができる。
【０１９９】
半静的リソース分割の場合、単一の活性ＵＬをサポートする最も簡単な方法は、ＬＴＥとＮＲとの間でリソースを分割することである。ＬＴＥがサブフレームに基づく送信を必要とする場合、サブフレームのうちサブセットはＮＲに割り当てられ、他のサブフレームはＬＴＥに割り当てられる。ＮＲに割り当てられたサブフレームにＰＵＣＣＨ又はＰＵＳＣＨなどのスケジューリングされたＬＴＥ ＵＬ送信があると、ＵＥは、ＮＲ ＵＬ送信の有無に関係なくチャネルをドロップすることができる。ドロップを最小化するために、１つのアプローチは基準ＨＡＲＱのタイミングを構成することである。例えば、ＦＤＤの場合、ＰＣｅｌｌフレーム構造タイプが２であるＦＤＤ−ＴＤＤ ＣＡからのＨＡＲＱタイミングが使用されることができ、同一のＵＬセットを有するＴＤＤ ＤＬ／ＵＬ構成が選択されることができる。例えば、ＵＬサブフレーム２、３、４、７、８、９がＬＴＥに対して割り当てられると、ＦＤＤ−ＴＤＤ ＣＡとのＨＡＲＱ−ＡＣＫのタイミングのためにＤＬ／ＵＬ構成０が使用されることができる。ＰＵＳＣＨの場合、正規タイミングが使用されることができ、スケジューリングは衝突を避けることができる。言い換えると、半静的分割が使用される場合、ＨＡＲＱ−ＡＣＫドロップを最小化するために、ＦＤＤ−ＴＤＤ ＣＡフレームワークがＬＴＥ ＦＤＤのためのＨＡＲＱ−ＡＣＫタイミングに用いられることができる。
【０２００】
ＬＴＥ ＴＤＤ搬送波及びＮＲ ＦＤＤ搬送波が二重接続されている場合、ＮＲ ＵＬ搬送波は非ＬＴＥ ＵＬサブフレームに制限される可能性がある。ＬＴＥ ＴＤＤ搬送波とＮＲ ＴＤＤ搬送波が二重接続されている場合、ＮＲのフレーム境界をシフトしてＮＲとＬＴＥ ＵＬの重畳を最小化することができる。
【０２０１】
半静的リソース分割が使用される場合、異なるＴＡ値に対する一部の考慮が提示される必要があり得る。例えば、ＬＴＥのＴＡがＮＲのＴＡより大きい場合、ＮＲサブフレームの１つ又はいくつかのＯＦＤＭシンボルがＴＡの取り扱いのためにＬＴＥに譲られる必要があり得る。
【０２０２】
トラフィックが動的に変更されるか、十分に活用されないＲＡＴがある場合、半静的リソース分割が効率的でないことがあるので、動的リソース分割が考慮されることができる。すなわち、それぞれのサブフレームがそれぞれのＲＡＴにプライマリＣＧとして割り当てられる動的なＵＬリソース共有が使用されることができる。割り当てられたプライマリＣＧに送信がないと、セカンドリＣＧにリソースを使用することができる。動的ＵＬリソースの共有が使用される場合、ヌメロロジー及びＴＴＩの長さによる異なる処理時間が考慮されなければならない。例えば、ＬＴＥが２シンボルｓＴＴＩ動作のような短いＴＴＩで構成されると、サブフレーム内でＵＬ送信がトリガリングされることができる。２つのＲＡＴ間で処理時間及びＴＴＩが同一でないと、他のＣＧにより与えられたリソースでのＵＬ送信を完全に予測することは困難である。従って、動的ＵＬリソースの共有が考慮される場合、プライマリＣＧによりスケジューリングされたＵＬ送信がないと、より速い処理時間及び／又はより短いＴＴＩを有するＣＧがＵＬリソースを盗む（steal）ことが許容されることができる。例えば、短いＴＴＩ動作が構成されない場合、より速い処理を有するＮＲはＬＴＥにより使用されないリソースを使用することができる。
【０２０３】
代わりに、２つのＲＡＴ間でリソース共有が使用されることができ、優先順位規則に基づいて衝突が処理されることができる。例えば、短いＵＬ送信は長いＵＬ送信より高い優先順位を有する。または、ＵＣＩを含む送信は、ＵＣＩがない送信より高い優先順位を有する。衝突が発生すると、まず順位が低いチャネルが部分的に又は完全にドロップされる可能性がある。短いＴＴＩ動作のためのＵＬチャネルの衝突で用いられる類似の技術が考慮されることができる。
【０２０４】
本発明の一実施形態によるＬＴＥ／ＮＲがＤＬ搬送波を共有する場合のＮＲ ＳＳブロック送信について説明する。ＬＴＥとＮＲとの間のＤＬ搬送波の共有に関しては、次のようなアプローチが考慮されることができる。
【０２０５】
−ＮＲとＬＴＥは完全に重畳される可能性がある。ＮＲはＭＢＳＦＮ（multicast broadcast single frequency network）サブフレーム及び正規サブフレームにおいて非ＣＲＳ ＯＦＤＭシンボルを利用することができる。
【０２０６】
−ＮＲとＬＴＥが部分的に重畳されることがある。ＮＲは、ＬＴＥ搬送波のＭＢＳＦＮサブフレーム及び非ＣＲＳ ＯＦＤＭシンボルを使用できるのに対して、これは正規サブフレームにおいてＬＴＥ搬送波と共にＦＤＭを利用することもできる。
【０２０７】
−ＮＲとＬＴＥは重畳されないこともあり、ＮＲとＬＴＥはＦＤＭにより多重化されることがある。
【０２０８】
３番目のケースにおいて、ＮＲ帯域幅がＲＭＳＩ送信のためのＵＥ最小帯域幅及び／又はＳＳブロック帯域幅より大きいと、ＳＳブロック送信にはイシューがない。２番目のケースにおいて、ＮＲ搬送波のＦＤＭ部分がＲＭＳＩ及び／又はＳＳブロックを収容するのに十分大きいと、ＳＳブロック送信にはイシューがない。他のケース（ケース１又はより小さな帯域幅を有するケース２）で、ＮＲ ＳＳブロックは次のように２つの異なる方式で送信されることができる。
【０２０９】
（１）ＳＳブロックは、ＭＢＳＦＮサブフレームでのみ送信されることができる。
【０２１０】
（２）（３０ｋＨｚ副搬送波間隔のような）他のヌメロロジーを有するＳＳブロックは、正規サブフレームのミニスロット及び／又はＭＢＳＦＮサブフレームで送信されることができる。
【０２１１】
アプローチ（１）において、仕様は、絶対スロットインデックス又はサブフレームインデックスの代わりにＳＳブロックヌメロロジーに基づいてスロット内の（及び／又はスロットを介して）ＳＳブロックの相対的な位置を定義できるので、ＳＳブロックはＭＢＳＦＮサブフレームに配置されるか、ＬＴＥ ＣＲＳがないＯＦＤＭシンボルに配置される。スタンドアローンＵＥ又はＲＲＣ＿ＩＤＬＥ ＵＥの初期アクセスのために、ＳＳブロック送信はＭＢＭＳサービスによりパンクチャリングされないことがある。ＭＢＭＳサービスとの衝突を避けるために、シグナリングを介してＵＥに指示されるＳＳブロックに対して、予約されたリソースはＭＢＭＳが実際に送信されるＭＢＭＳサブフレームを含むことができ、ＳＳブロックはそのようなＭＢＭＳサブフレーム又は予約されたリソースで送信されないことがあることを示すことができる。この予約されたリソースは、データ及びＳＳブロックに対する予約されたリソースに対して個別に構成できる（これは、ＲＭＳＩ及び関連初期アクセス手順の送信を含む）。
【０２１２】
ＬＴＥとＮＲとの間のＤＬ共有の可能なシナリオは、異なるサブフレームにＦＤＭ、ＴＤＭ及びＦＤＭ＋ＴＤＭを含むことができる。ＦＤＭが使用される場合、ＮＲ搬送波とＬＴＥ搬送波は周波数を共有しないことがある。従って、ＳＳブロックの送信は、ＮＲ搬送波の帯域幅がＳＳブロック送信のために要求される最小の帯域幅を超過する限り、他のＮＲ搬送波と同様に行われることができる。ＴＤＭが使用される場合、ＮＲ信号によるＣＲＳ ＯＦＤＭシンボルを避けるために、ＬＴＥ正常サブフレームにおいてＳＳブロックを送信することは難しい。１つのアプローチは、ＭＢＳＦＮサブフレームにおいてＳＳブロックを送信することである。ＳＳブロックが定義されたサブフレーム／スロットのセットで送信される場合、ＬＴＥ及びＮＲフレーム境界はＬＴＥ ＭＢＳＦＮサブフレームにおいてＳＳブロックが送信されるように遷移されることができる。ｅＮＢ及びｇＮＢは、バックホールシグナリングを介してＭＢＳＦＮサブフレームに関する情報を交換することができる。この場合、２つの間のオフセットが必要になるかもしれない。このために、ＳＦＮ（system frame number）又はサブフレームインデックスが追加で指示されることができる。
【０２１３】
図１３は、本発明の一実施形態によるＮＲ搬送波でのＳＳブロック送信の例を示す。図１３に示すように、ＭＢＳＦＮサブフレームは、ＬＴＥ ＰＤＣＣＨのためのＯＦＤＭシンボルを使用するために、ＳＳブロックがＯＦＤＭシンボル３ないし６に配置されると、ＭＢＳＦＮサブフレームの第１スロットにＲＭＳＩ ＣＯＲＥＳＥＴ（control resource set）のための空間がない。従って、ＲＭＳＩ送信のために７つのＯＦＤＭシンボルスロット又はミニスロット送信を使用することと見なされることがある。
【０２１４】
ＲＭＳＩ ＣＯＲＥＳＥＴのために予約されたリソースがあるので、ＰＢＣＨにおいて各サブフレームに予約されたリソースがあるか否か又はＬＴＥ−ＮＲ ＴＤＭの共有が使用されるか否かを示す必要がある。代わりに、ＲＭＳＩ送信のスロットサイズは７つのＯＦＤＭシンボルとして示され、一部のスロットはいかなるＣＯＲＥＳＥＴも運ばない可能性もある。また、広帯域ＲＳは、ＣＯＲＥＳＥＴが存在しない周波数位置で送信されないことがある。代わりに、予約されたリソースがＰＢＣＨにおいて明示的に指示できるため、ＵＥは、ＲＭＳＩ ＣＯＲＥＳＥＴ及び広帯域ＲＳが予約されたリソースにおいて省略できると仮定することができる。スロットデュレーションの指示に関連して、ＵＥがＳＳブロックの正確な位置を知る必要がある場合があるので、次のように共通指示（joint indication）が可能である。
【０２１５】
−０：ＲＭＳＩ及びＳＳブロックの両方ともが１４個のＯＦＤＭシンボルスロット長を仮定することを示す。
【０２１６】
−１：ＲＭＳＩ及びＳＳブロックの両方ともが７つのＯＦＤＭシンボルスロット長を仮定することを示す。
【０２１７】
−２：ＲＭＳＩが７つのＯＦＤＭシンボルスロット長を使用するのに対して、ＳＳブロックは１４個のＯＦＤＭシンボルスロット長を使用することを示す。
【０２１８】
−３：ＲＭＳＩが１４個のＯＦＤＭシンボルスロット長を使用するのに対して、ＳＳブロックは７つのＯＦＤＭシンボルスロット長を使用することを示す。
【０２１９】
代わりに、各ＳＳブロック及びＲＭＳＩのスロット長は個別に示すことができる。代わりに、ＳＳブロックのマッピングパターンが示されることができ、また、時間位置を含むＲＭＳＩ ＣＯＲＥＳＥＴ構成が別途に示されることができる。
【０２２０】
図１４は、本発明の一実施形態によるＮＲ搬送波でのＳＳブロック送信の他の例を示す。ＬＴＥ−ＮＲ ＴＤＭがＰＢＣＨにおいてトリガリングされると、ＵＥは、１４個のＯＦＤＭシンボルスロットがＳＳブロックに用いられ、７つのＯＦＤＭシンボルスロットがＲＭＳＩ送信に使用されると仮定することができる。また、各サブフレームにおいて２つのＯＦＤＭシンボルが予約されることができ、ＣＯＲＥＳＥＴは第２スロットにのみ配置されることができる。この情報はＰＢＣＨで示されるか、（ＰＣｅｌｌ又はＵＥ固有のシグナリングを介して）補助情報により示されることができる。この情報が知られると、ＵＥは、スロットサイズが１４個のＯＦＤＭシンボルであってもＣＯＲＥＳＥＴがスロットの第１ＯＦＤＭシンボルの代わりに第３ＯＦＤＭシンボルで開始されると仮定することができる。
【０２２１】
すなわち、ＭＢＳＦＮサブフレームにおいてＬＴＥ ＰＤＣＣＨのための予約リソースがＲＭＳＩ送信のために示されるか、ＲＭＳＩはＬＴＥ ＭＢＳＦＮサブフレームの第２スロットで送信されることができる。代わりに、ＬＴＥ−ＮＲ ＴＤＭを示す１つのビットがＰＢＣＨで示されることができる。このフラグが示されると、ＵＥは、各サブフレームにおいて少なくとも２つのシンボルがＬＴＥ信号のために予約されていると仮定することができる。前記情報に基づいて、異なるＳＳブロックマップが使用されることができる。または、異なるＳＳブロックマッピングパターンがこのような場合に使用されることができる。明示的シグナリングがない場合、レガシーＬＴＥ動作が存在するか否かに関係なくＬＴＥ帯域にＮＲが配置されると仮定してＬＴＥ−ＮＲ共存を仮定することができる。この場合、ＬＴＥ−ＮＲ共存に対する明示的指示がなくても、ＵＥはＬＴＥ−ＮＲ共存のケースが適用されると仮定することができる。
【０２２２】
少なくとも１つのＣＯＲＥＳＥＴシンボルを保証するために、異なるＳＳブロックマッピングが使用できる。例えば、３つのＯＦＤＭシンボルがＳＳブロックマッピングのために個々のサブフレームに予約されることができる。ＬＴＥ−ＮＲ ＴＤＭのほかにも、ＬＴＥ ＰＤＣＣＨシンボルの数を示すか、予約されたシンボルの数（１又は２）も個別に示すことができる。予約されたシンボルが１つのＯＦＤＭシンボルであると、同一のＳＳブロックマッピングが使用できる。任意のリソース要素グループ（ＲＥＧ：resource element group）マッピングは予約されたリソースでは使用されない。言い換えると、制御領域の全デュレーションがさらに小さくなることがある。
【０２２３】
ＬＴＥ−ＮＲ間のＴＤＭ／ＦＤＭ多重化が使用される場合、ＴＤＭを介してＬＴＥ領域においてＲＭＳＩ ＣＯＲＥＳＥＴ／ＰＤＳＣＨが送信されると、予約されたリソースが示される必要があり得る。このために、この場合にもＬＴＥ−ＮＲ−Ｈｙｂｒｉｄフィールドが示されるか、ＬＴＥ−ＮＲ−ＴＤＭが示されることができる。ＵＥは、ＳＳブロックマッピング及びＲＭＳＩ送信のためにＬＴＥ−ＮＲ ＴＤＭと同一の動作を仮定することができる。予約されたリソースに関するより詳細な情報は、ＲＭＳＩ又は他のＳＩ又はＵＥ固有のシグナリングで示されることができる。
【０２２４】
より一般的に、動的に予約されたリソースが示されるＬＴＥ−ＮＲ共存でのＣＯＲＥＳＥＴ構成において、ＣＯＲＥＳＥＴデュレーション及び／又はＣＯＲＥＳＥＴ開始ＯＦＤＭシンボルは、最も良い場合（すなわち、１つのＬＴＥ ＰＤＣＣＨ領域）に基づいて構成され、予約リソースに基づいて、ＣＯＲＥＳＥＴデュレーション及び／又はＣＯＲＥＳＥＴ開始ＯＦＤＭシンボルは動的に変更される。
【０２２５】
本発明の一実施形態によるＵＬ７．５ｋＨｚシフト指示が説明される。７．５ｋＨｚシフトが用いられる場合、実際ＮＲ搬送波の中心と同一か異なるＮＲ搬送波の中心周波数が構成されることができる。ＬＴＥ搬送波の中心を示すことができる。中心周波数がまた７．５ｋＨｚシフトとともに示されることもできる。
【０２２６】
ＵＥの実装に基づいた基底帯域及び／又はデジタルローテータ（rotator）において７．５ｋＨｚシフト動作が適用されると、次のいずれか１つにより使用可能である。
【０２２７】
−ＵＥは、ＬＴＥ ＵＬスペクトルにおいて示された中心周辺の７．５ｋＨｚのシフトを仮定することができる。
【０２２８】
−ＵＥは、ＰＲＡＣＨ構成による７．５ｋＨｚのシフトを仮定することができ、７．５ｋＨｚシフト＋中心周波数が異なるＰＲＡＣＨリソースで示されることができる。
【０２２９】
−ＵＥは、ＰＲＡＣＨに対して７．５ｋＨｚのシフトを仮定しないことがあり、ＲＡＲはＲＡＲでシフトされた値を有する中心周波数又はシフトを示すことができる。
【０２３０】
−中心周波数の観点から、指示されたＵＬ周波数は中心周波数であり、ＬＴＥ及びＮＲの中心周波数は信号生成の観点から同一である。
【０２３１】
本発明の一実施形態による一般ＣＰ／拡張ＣＰ多重化について説明する。ＤＬとＵＬが異なるフレーム構造を使用する場合、ＴＤＤにおいてＤＬとＵＬの間のフレーム構造又はスロット構造が異なる場合がある。ＤＬとＵＬが異なるヌメロロジーを使用するタイミングを決定する側面において、以下のような様々なオプションが考慮することができる。
【０２３２】
（１）スロット構造はＤＬのヌメロロジーにより定義されることができる。
【０２３３】
図１５は、ＤＬヌメロロジーに基づいたスロットタイプ形成の例を示す。拡張されたＣＰシンボルは、スロットの最後と整列されたＵＬ部分内に配置されることができる。図１５に示すように、拡張されたＣＰ ＵＬシンボルは、正規ＣＰ ＤＬスロットの最後に配置される。例えば、３０ｋＨｚの正規ＣＰ ＤＬヌメロロジーにおいて、スロットサイズが７である場合、より大きなＣＰを有する正規ＣＰの１番目のＯＦＤＭシンボルにより正規ＣＰ ＤＬと整列される拡張ＣＰシンボルは拡張ＣＰ専用ＵＬスロットと整列されないこともある。このアプローチは、ＤＬとＵＬの間のタイミングを複雑にする可能性がある。
【０２３４】
（２）スロット構造は、ＤＬ及びＵＬに対するそれぞれのヌメロロジーにより定義されることができる。
【０２３５】
図１６は、ＤＬ及びＵＬヌメロロジーに基づいたスロットタイプ形成の例を示す。このアプローチは、ＵＬとＤＬとの間に別途のスロット構造を維持し、ＰＤＳＣＨ対ＨＡＲＱ−ＡＣＫ及びＰＤＣＣＨ対ＰＵＳＣＨのようなタイミングの扱いのためのＣＡフレームワークを使用する。ＰＤＳＣＨ対ＨＡＲＱ−ＡＣＫ及びＰＤＣＣＨ対ＰＵＳＣＨのタイミングは、複数のオプションを有することができ、これはより多くの研究が完了しなければならない。この方式の１つの短所は、スロットのフォーマットがグループ共通ＰＤＣＣＨにより示される場合、個別のフォーマットがＤＬ及びＵＬにおいて示されるか、スロットフォーマット構造が第１アプローチに基づいて示されるということである。図１６に示すように、個別スロット構造がＤＬ及びＵＬに対して構成される。ミニスロットが適用される場合、ミニスロットはこのようなアプローチでそれぞれＤＬ及びＵＬごとに適用されることができる。
【０２３６】
図１７は、本発明の実施形態によってＵＥによりＰＲＡＣＨを送信する方法を示す。前述した本発明はこの実施形態に適用できる。
【０２３７】
段階Ｓ１００で、ＵＥは、ＮＲ帯域のＮＲ ＤＬ／ＵＬ搬送波に対する第１ＰＲＡＣＨ構成とＬＴＥ帯域の補助ＵＬ搬送波に対する第２ＰＲＡＣＨ構成を含む複数のＰＲＡＣＨ構成を受信する。段階Ｓ１１０で、ＵＥは、前記第１ＰＲＡＣＨ構成に基づいて第１ＰＲＡＣＨ電力を利用して前記ＮＲ帯域のＮＲ ＤＬ／ＵＬ搬送波に接続するための第１ＰＲＡＣＨ又は前記第２ＰＲＡＣＨ構成に基づいて第２ＰＲＡＣＨ電力を利用して前記ＬＴＥ帯域の前記補助ＵＬ搬送波に接続するための第２ＰＲＡＣＨのうち少なくとも１つを送信する。前記第１ＰＲＡＣＨ構成及び第２ＰＲＡＣＨ構成は異なるＰＲＡＣＨ電力の構成を含む。
【０２３８】
ＵＥは、前記ＬＴＥ帯域の前記補助ＵＬ搬送波のみで構成される。この場合、ＵＬ ＰＣＣは、前記第２ＰＲＡＣＨが送信される前記補助ＵＬ搬送波のセルに変更されることができる。ＤＬ ＰＣＣは、前記ＮＲ ＤＬ／ＵＬ搬送波内にあり得る。
【０２３９】
また、前記補助ＵＬ搬送波は、ＬＴＥ ＵＬリソース及びＮＲ ＵＬリソースを含むことができる。前記ＬＴＥ ＵＬリソース及び前記ＬＴＥ ＵＬリソースは、ＴＤＭ又はＦＤＭにより多重化される。ＦＤＤ−ＴＤＤ ＣＡに基づく基準ＨＡＲＱタイミングが前記ＬＴＥＵＬリソースに対して構成されることができる。
【０２４０】
また、ＰＵＣＣＨを運搬するセルは、前記ＮＲ ＤＬ／ＵＬ搬送波又は前記補助ＵＬ搬送波のＵＬ ＰＣＣのいずれか１つで構成されることができる。ＰＵＳＣＨ送信は、前記ＰＵＣＣＨを運搬するセルにおいて行われることができる。また、ＰＵＳＣＨ送信は、前記ＮＲ ＤＬ／ＵＬ搬送波又は前記補助ＵＬ搬送波ではない他の搬送波で構成されることができる。
【０２４１】
また、ＵＥは、ＤＬ追跡ＲＳを前記ＮＲ ＤＬ／ＵＬ搬送波又は前記補助ＵＬ搬送波に対応するＤＬ搬送波において受信することができる。
【０２４２】
また、前記第１ＰＲＡＣＨ又は前記第２ＰＲＡＣＨのうち少なくとも１つは最も良いビームを示すデータを運搬することができる。また、プリアンブルシーケンス又はＰＲＡＣＨリソースが最も良いビームを示すように選択されることができる。
【０２４３】
図１８は、本発明の一実施例を具現化するための無線通信システムを示す。
【０２４４】
ネットワークノード８００は、プロセッサ８１０、メモリ８２０及び送受信部８３０を含む。プロセッサ８１０は、本明細書で説明された提案された機能、手順及び／または方法を具現化するように構成されることができる。無線インターフェースプロトコルの階層がプロセッサ８１０で具現化されることができる。メモリ８２０は、プロセッサ８１０と動作可能に結合され、プロセッサ８１０を動作させるための多様な情報を格納する。送受信部８３０は、プロセッサ８１０と動作可能に結合され、無線信号を送信及び／または受信する。
【０２４５】
ＵＥ９００は、プロセッサ９１０、メモリ９２０及び送受信部９３０を含む。プロセッサ９１０は、本明細書で説明された提案された機能、手順及び／または方法を具現化するように構成されることができる。無線インターフェースプロトコルの階層がプロセッサ９１０で具現化されることができる。メモリ９２０は、プロセッサ９１０と動作可能に結合され、プロセッサ９１０を動作させるための多様な情報を格納する。送受信部９３０は、プロセッサ９１０と動作可能に結合され、無線信号を送信及び／または受信する。
【０２４６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで具現化される時、前述した技法は前述した機能を遂行するモジュール（過程、機能など）で具現化されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０２４７】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
2020504532.tif 000004
【図２】
2020504532.tif 000005
【図３】
2020504532.tif 000006
【図４】
2020504532.tif 000007
【図５】
2020504532.tif 000008
【図６】
2020504532.tif 000009
【図７】
2020504532.tif 000010
【図８】
2020504532.tif 000011
【図９】
2020504532.tif 000012
【図１０】
2020504532.tif 000013
【図１１】
2020504532.tif 000014
【図１２】
2020504532.tif 000015
【図１３】
2020504532.tif 000016
【図１４】
2020504532.tif 000017
【図１５】
2020504532.tif 000018
【図１６】
2020504532.tif 000019
【図１７】
2020504532.tif 000020
【図１８】
2020504532.tif 000021
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（user equipment）により行われる方法であって、
第１ＵＬ（uplink）周波数に対する第１ＰＲＡＣＨ（physical random access channel）構成と、第２ＵＬ周波数に対する第２ＰＲＡＣＨ構成とを受信する段階であって、
前記第１ＵＬ周波数及び前記第１ＵＬ周波数にリンクするＤＬ（downlink）周波数は、第１周波数帯域に属し、
前記第２ＵＬ周波数は、第２周波数帯域に属する、段階と、
前記ＤＬ周波数上でＲＳＲＰ（reference signal received power）測定を行う段階と、
前記ＤＬ周波数上における前記ＲＳＲＰ測定の結果が閾値より小さい場合、前記第２ＰＲＡＣＨ構成に基づいて前記第２ＵＬ周波数上でＰＲＡＣＨリソースを選択する段階と、
前記ＤＬ周波数上における前記ＲＳＲＰ測定の前記結果が前記閾値より小さくない場合、前記第１ＰＲＡＣＨ構成に基づいて前記第１ＵＬ周波数上でＰＲＡＣＨリソースを選択する段階と、を含む、方法。
【請求項２】
前記第１周波数帯域は、前記第２周波数帯域より高い周波数を有する、請求項１に記載の方法。
【請求項３】
前記第１周波数帯域は、５Ｇ ＮＲ（new radio access technology）のための周波数帯域であり、
前記第２周波数帯域は、４Ｇ ＬＴＥ（long-term evolution）のための周波数帯域である、請求項１に記載の方法。
【請求項４】
前記第２ＵＬ周波数は、補助ＵＬ搬送波である、請求項１に記載の方法。
【請求項５】
前記補助ＵＬ搬送波は、ＬＴＥ ＵＬリソース及びＮＲ ＵＬリソースを含む、請求項４に記載の方法。
【請求項６】
前記ＬＴＥ ＵＬリソース及び前記ＮＲ ＵＬリソースは、ＴＤＭ（time division multiplexing）及び／又はＦＤＭ（frequency division multiplexing）により多重化される、請求項５に記載の方法。
【請求項７】
ＦＤＤ（frequency division duplex）−ＴＤＤ（time division duplex） ＣＡ（carrier aggregation）に基づく基準ＨＡＲＱ（hybrid automatic repeat request）タイミングは、前記ＬＴＥ ＵＬリソースに対して構成される、請求項５に記載の方法。
【請求項８】
ＰＵＣＣＨ（physical uplink control channel）を運搬するセルは、前記第１ＵＬ周波数又は前記第２ＵＬ周波数の１つに構成される、請求項１に記載の方法。
【請求項９】
ＰＵＳＣＨ（physical uplink shared channel）送信は、前記ＰＵＣＣＨを運搬する前記セルにおいて行われる、請求項８に記載の方法。
【請求項１０】
ＰＵＳＣＨ送信は、前記第１ＵＬ周波数又は前記第２ＵＬ周波数でない他の周波数に構成される、請求項８に記載の方法。
【請求項１１】
ＤＬ追跡ＲＳ（reference signal）を前記ＤＬ周波数で受信する段階をさらに含む、請求項１に記載の方法。
【請求項１２】
前記選択されたＰＲＡＣＨリソースに基づいてランダムアクセス手順を行う段階をさらに含み、
前記ランダムアクセス手順は、最も良いビームを示すデータを運搬する、請求項１に記載の方法。
【請求項１３】
前記ＰＲＡＣＨリソースは、最も良いビームを示すように選択される、請求項１に記載の方法。
【請求項１４】
無線通信システムにおけるＵＥ（user equipment）であって、
メモリと、
送受信部と、
前記メモリ及び前記送受信部と動作可能に結合するプロセッサと、を含み、
前記ＵＥは、
第１ＵＬ（uplink）周波数に対する第１ＰＲＡＣＨ（physical random access channel）構成と、第２ＵＬ周波数に対する第２ＰＲＡＣＨ構成とを、前記送受信部によって受信し、
前記第１ＵＬ周波数及び前記第１ＵＬ周波数にリンクするＤＬ（downlink）周波数は、第１周波数帯域に属し、
前記第２ＵＬ周波数は、第２周波数帯域に属し、
前記ＤＬ周波数上でＲＳＲＰ（reference signal received power）測定を行い、
前記ＤＬ周波数上における前記ＲＳＲＰ測定の結果が閾値より小さい場合、前記第２ＰＲＡＣＨ構成に基づいて前記第２ＵＬ周波数上でＰＲＡＣＨリソースを選択し、
前記ＤＬ周波数上における前記ＲＳＲＰ測定の前記結果が前記閾値より小さくない場合、前記第１ＰＲＡＣＨ構成に基づいて前記第１ＵＬ周波数上でＰＲＡＣＨリソースを選択するように構成される、ＵＥ。
【国際調査報告】
2020504532.tif 000022
2020504532.tif 000023